(57)【要約】【課題】複数の装置間の経路に不正を施すことで不正に利益を得ようとする行為を抑制することが可能な遊技機を提供すること。【解決手段】払出制御基板１７１は接続端子板１７２を介して貸出指示装置１９と電気的に接続されている。貸出操作装置７１の貸出ボタンが操作された場合には貸出指示装置１９から貸出要求信号が出力され、払出制御基板１７１のＭＰＵ１８１では当該貸出要求信号を入力することで所定数の遊技球が払い出されるように払出装置を駆動制御する。この場合に、貸出指示装置１９と貸出操作装置７１との間の通信経路に介在するように払出制御基板１７１が設けられており、当該通信経路を構成する配線は、貸出指示装置１９からＭＰＵ１８１に遊技球の貸出指示を与えるための通信経路を構成する配線とともに接続ユニットとして設けられている。【選択図】      図６
2013056012.tif 000002
【特許請求の範囲】
【請求項１】
特定装置及び第１装置間において送電するために又は通信するために用いられる第１経路と、
前記特定装置及び第２装置間において送電するために又は通信するために用いられる第２経路と、
を備え、
前記第１経路を通じて送電又は通信が行われることにより第１制御が実行され、前記第２経路を通じて送電又は通信が行われることにより第２制御が実行される構成であり、
前記第２経路は、少なくとも前記第１装置にて中継される構成であり、
前記第１経路における前記第１装置への接続部と、前記第２経路における前記特定装置及び前記第１装置間の経路であって当該経路の前記第１装置への接続部とが、同一の第１接続手段に集約された状態で、前記第１装置に接続されていることを特徴とする遊技機。
【請求項２】
前記特定装置及び前記第１装置間においては、前記第１経路を生じさせる経路と前記第２経路を生じさせる経路とはユニット化されていることを特徴とする請求項１に記載の遊技機。
【請求項３】
前記第１装置は、遊技価値を付与するための制御を実行する制御基板であり、
前記第２装置は、遊技者により操作される操作部を有し、前記第２経路を利用して、前記操作部が操作されたか否かを示す信号を前記特定装置側に向けて送信するものであり、
前記特定装置は、所定の情報が記憶手段に記憶されている状況で前記操作部が操作されたことに基づき、前記第１経路を利用して、前記遊技価値の付与に関する指示を与えるための信号を前記制御基板に向けて送信するものであることを特徴とする請求項１又は２に記載の遊技機。
【請求項４】
前記第２経路には通信用の経路が含まれており、
前記制御基板に設けられた制御手段は、当該通信用の経路を利用して伝送される信号を受信しないことを特徴とする請求項３に記載の遊技機。
【請求項５】
前記第２経路には、遊技機前方から視認可能な表示手段を表示制御するために利用される通信用の経路が含まれていることを特徴とする請求項１乃至４のいずれか１に記載の遊技機。
【請求項６】
前記第１接続手段には、前記第１経路の接続部以外の接続部として、前記第２経路の接続部を含めて複数の接続部が集約されていることを特徴とする請求項１乃至５のいずれか１に記載の遊技機。
【請求項７】
前記第１経路は中継基板にて中継される構成であって、前記第２経路における前記特定装置及び前記第１装置間の経路も前記中継基板にて中継される構成であり、
前記中継基板には、
前記第１経路における前記特定装置及び前記中継基板間の経路であって当該経路の前記中継基板への接続部と、前記第２経路における前記特定装置及び前記中継基板間の経路であって当該経路の前記中継基板への接続部とが、同一の第２接続手段に集約された状態で接続されており、
且つ
前記第１経路における前記第１装置及び前記中継基板間の経路であって当該経路の前記中継基板への接続部と、前記第２経路における前記第１装置及び前記中継基板間の経路であって当該経路の前記中継基板への接続部とが、同一の第３接続手段に集約された状態で接続されていることを特徴とする請求項１乃至６のいずれか１に記載の遊技機。
【請求項８】
前記第１接続手段は前記中継基板に設けられた一のコネクタであり、
前記第３接続手段は前記第１装置に設けられた一のコネクタであり、
これらコネクタが別部材の配線を介することなく直接的に接続されていることを特徴とする請求項７に記載の遊技機。
【請求項９】
前記第１装置は、制御基板であり、
前記制御基板と前記中継基板とは同一の基板ボックス内に収容されていることを特徴とする請求項７又は８に記載の遊技機。
【請求項１０】
前記第１装置は、制御基板であり、
前記制御基板は基板ボックスに収容されていることで制御基板装置として設けられており、
前記中継基板は前記基板ボックスとは異なる基板ボックスに収容されていることで中継基板装置として設けられており、
前記第１接続手段及び前記第３接続手段を利用した前記制御基板と前記中継基板との接続箇所が露出しないように当該接続箇所に対向する対向手段を備えていることを特徴とする請求項７又は８に記載の遊技機。
【発明の詳細な説明】
【技術分野】
【０００１】
本発明は、遊技機に関するものである。
【背景技術】
【０００２】
遊技機の一種として、パチンコ機やスロットマシン等が知られている。これらの遊技機では、複数の装置間に設けられた経路を利用して送電又は通信が行われることで、各種制御が実行され、遊技機において各種動作が実行される。
【０００３】
例えば、パチンコ機においては、基板装置として、遊技球の付与に関する制御を実行するための制御基板を備えるとともに、当該制御装置と貸出指示装置との間での有線による通信を中継する中継基板を備えた構成が知られている（例えば、特許文献１参照）。また、当該中継基板は、パチンコ機に設けられた貸出ボタンと貸出指示装置との間での有線による通信を中継するように設けられている。
【０００４】
貸出指示装置は紙幣やプリペイドカード等を投入可能に構成されており、例えば、当該貸出指示装置に紙幣やプリペイドカード等を投入した状態で、パチンコ機に設けられた貸出ボタンを操作することにより、貸出指示装置からそれに応じた信号が出力される。当該信号は、上記中継基板を介して上記制御装置にて受信され、当該制御装置では所定個数の遊技球の使用を可能とするための制御が実行される。
【先行技術文献】
【特許文献】
【０００５】
【特許文献１】特開２００９−２６８８５３号公報
【発明の概要】
【発明が解決しようとする課題】
【０００６】
ここで、上記のように複数の装置間で送電又は通信が行われることにより各種制御が実行される構成においては、所定の経路に対して不正を施すことにより不正に利益を得ようとする行為が想定される。
【０００７】
例えば、上記のように貸出指示装置を利用して遊技球の貸出制御が実行される構成においては、上記中継基板と上記制御装置との間の通信経路に不正な信号を出力することにより、不正に遊技球の貸出を行わせようとする行為が想定される。
【０００８】
本発明は、上記例示した事情等に鑑みてなされたものであり、複数の装置間の経路に不正を施すことで不正に利益を得ようとする行為を抑制することが可能な遊技機を提供することを目的とするものである。
【課題を解決するための手段】
【０００９】
以下、上記課題を解決するための手段について記載する。
【００１０】
請求項１記載の発明は、特定装置及び第１装置間において送電するために又は通信するために用いられる第１経路と、
前記特定装置及び第２装置間において送電するために又は通信するために用いられる第２経路と、
を備え、
前記第１経路を通じて送電又は通信が行われることにより第１制御が実行され、前記第２経路を通じて送電又は通信が行われることにより第２制御が実行される構成であり、
前記第２経路は、少なくとも前記第１装置にて中継される構成であり、
前記第１経路における前記第１装置への接続部と、前記第２経路における前記特定装置及び前記第１装置間の経路であって当該経路の前記第１装置への接続部とが、同一の第１接続手段に集約された状態で、前記第１装置に接続されていることを特徴とする。
【発明の効果】
【００１１】
本発明によれば、複数の装置間の経路に不正を施すことで不正に利益を得ようとする行為を抑制することが可能となる。
【図面の簡単な説明】
【００１２】
【図１】第１の実施形態におけるパチンコ機の正面図である。
【図２】パチンコ機の主要な構成を展開して示す斜視図である。
【図３】パチンコ機の主要な構成を展開して示す斜視図である。
【図４】遊技盤の正面図である。
【図５】裏パックユニットの正面図である。
【図６】パチンコ機の電気的構成を示すブロック図である。
【図７】各種抽選を行うための構成を説明するための説明図である。
【図８】主側ＭＰＵにて実行されるタイマ割込み処理を示すフローチャートである。
【図９】主側ＭＰＵにて実行される特図特電制御処理を示すフローチャートである。
【図１０】貸出側ＭＰＵにて実行される貸出指示処理を示すフローチャートである。
【図１１】貸出側ＭＰＵにて実行される指示用処理を示すフローチャートである。
【図１２】払出側ＭＰＵにて実行される貸出設定処理を示すフローチャートである。
【図１３】一部破断箇所を含む払出制御装置の正面図、及び当該払出制御装置と電気的に接続される対象を模式的に示す図である。
【図１４】遊技球の貸し出しを行うための電気的な接続を示すブロック図である。
【図１５】（ａ）第２の実施形態における基板装置ユニットの正面図であり、（ｂ）基板装置ユニットの一部を拡大して示す断面図である。
【発明を実施するための形態】
【００１３】
＜第１の実施形態＞
以下、遊技機の一種であるパチンコ遊技機（以下、「パチンコ機」という）の第１の実施形態を、図面に基づいて詳細に説明する。図１はパチンコ機１０の正面図、図２及び図３はパチンコ機１０の主要な構成を展開して示す斜視図である。なお、図２では便宜上パチンコ機１０の遊技領域内の構成を省略している。
【００１４】
パチンコ機１０は、図２に示すように、当該パチンコ機１０の外殻を形成する外枠１１と、この外枠１１に対して前方に回動可能に取り付けられた遊技機本体１２とを有する。外枠１１は木製の板材を四辺に連結し構成されるものであって矩形枠状をなしている。パチンコ機１０は、外枠１１を島設備に取り付け固定することにより、遊技ホールに設置される。
【００１５】
外枠１１の側方には図１に示すように、貸出指示装置（例えばＣＲユニット）１９が設けられている。貸出指示装置１９の前面側にはカード口１９ａが設けられ、そのカード口１９ａへの磁気カードの挿入により磁気カードに記憶された金額に相当する数の遊技球の貸し出しを受けることができるようになっている。また、遊技球の貸し出し対象となっていない残高の情報が貸出指示装置１９に記憶されている状況で磁気カードの排出操作が行われた場合には、その残高の情報が書き込まれた磁気カードがカード口１９ａから排出される。
【００１６】
なお、残高の情報が書き込まれる記憶媒体は磁気カードに限定されることはなく、コイン状のものであってもよい。また、遊技球の貸し出しを受ける上で貸出指示装置１９に挿入されるものは記憶媒体に限定されることはなく現金であってもよい。また、現金の投入が可能であるとともに、記憶媒体の投入及び排出の少なくとも一方が可能である構成においては、現金の投入口と、記憶媒体を扱うための開口とを別々に設けることが好ましい。
【００１７】
遊技機本体１２は、内枠１３と、内枠１３の前方に配置される前扉枠１４と、内枠１３の後方に配置される裏パックユニット１５とを備えている。遊技機本体１２のうち内枠１３が外枠１１に対して回動可能に支持されている。詳細には、正面視で左側を回動基端側とし右側を回動先端側として内枠１３が前方へ回動可能とされている。
【００１８】
内枠１３には、図２に示すように、前扉枠１４が回動可能に支持されており、正面視で左側を回動基端側とし右側を回動先端側として前方へ回動可能とされている。また、内枠１３には、図３に示すように、裏パックユニット１５が回動可能に支持されており、正面視で左側を回動基端側とし右側を回動先端側として後方へ回動可能とされている。
【００１９】
なお、遊技機本体１２には、図３に示すように、その回動先端部に施錠装置１６が設けられており、遊技機本体１２を外枠１１に対して開放不能に施錠状態とする機能を有しているとともに、前扉枠１４を内枠１３に対して開放不能に施錠状態とする機能を有している。これらの各施錠状態は、パチンコ機１０前面にて露出させて設けられたシリンダ錠１７に対して解錠キーを用いて解錠操作を行うことにより、それぞれ解除される。
【００２０】
次に、遊技機本体１２の前面側の構成について説明する。
【００２１】
内枠１３は、外形が外枠１１とほぼ同一形状をなす樹脂ベース２１を主体に構成されている。樹脂ベース２１の中央部には略楕円形状の窓孔２３が形成されている。この窓孔２３により内枠１３の前面側に遊技領域が露出されるようにして、樹脂ベース２１には遊技盤２４が着脱可能に取り付けられている。
【００２２】
遊技盤２４の構成を図４に基づいて説明する。遊技盤２４には前後方向に貫通する大小複数の開口部が形成されている。各開口部には一般入賞口３１，可変入賞装置３２，上作動口３３，下作動口３４，スルーゲート３５及び可変表示ユニット３６等がそれぞれ設けられている。
【００２３】
一般入賞口３１、可変入賞装置３２及び作動口３３，３４に遊技球が入ると、それが遊技盤２４の背面側に配設された検知センサ（図示略）により検知され、その検知結果に基づいて所定数の賞球の払い出しが実行される。その他に、遊技盤２４の最下部にはアウト口３７が設けられており、各種入賞口等に入らなかった遊技球はアウト口３７を通って遊技領域から排出される。また、遊技盤２４には、遊技球の落下方向を適宜分散、調整等するために多数の釘３８が植設されているとともに、風車等の各種部材が配設されている。
【００２４】
可変表示ユニット３６には、作動口３３，３４への入賞をトリガとして図柄を可変表示する図柄表示装置４１が設けられている。また、可変表示ユニット３６には、図柄表示装置４１を囲むようにしてセンターフレーム４２が配設されている。センターフレーム４２の上部には、第１特定ランプ部４３及び第２特定ランプ部４４が設けられている。また、センターフレーム４２の上部及び下部にはそれぞれ保留ランプ部４５，４６が設けられている。下側の保留ランプ部４５は、図柄表示装置４１及び第１特定ランプ部４３に対応しており、遊技球が作動口３３，３４を通過した回数は最大４回まで保留され保留ランプ部４５の点灯によってその保留個数が表示されるようになっている。上側の保留ランプ部４６は、第２特定ランプ部４４に対応しており、遊技球がスルーゲート３５を通過した回数は最大４回まで保留され保留ランプ部４６の点灯によってその保留個数が表示されるようになっている。
【００２５】
図柄表示装置４１は、液晶ディスプレイを備えた液晶表示装置として構成されており、後述する表示制御装置により表示内容が制御される。図柄表示装置４１には、例えば左、中及び右に並べて図柄が表示され、これらの図柄が上下方向にスクロールされるようにして変動表示されるようになっている。そして、予め設定されている有効ライン上に所定の組み合わせの図柄が停止表示された場合には、開閉実行モードが発生することとなる。
【００２６】
第１特定ランプ部４３及び第２特定ランプ部４４は、他の制御装置を介することなく後述する主制御装置により表示内容が制御される。第１特定ランプ部４３では、作動口３３，３４への入賞をトリガとして所定の順序で発光色の切り替えが行われ、予め定められた色で停止表示された場合には開閉実行モードが発生する。第２特定ランプ部４４では、遊技球のスルーゲート３５への入賞をトリガとして所定の順序で発光色の切り替えが行われ、予め定められた色で停止表示された場合には下作動口３４に付随する電動役物３４ａが所定時間だけ開放状態となる。
【００２７】
なお、第１特定ランプ部４３及び第２特定ランプ部４４といった主制御装置により直接的に制御されるとともに抽選結果を表示する表示部として、複数のセグメントを有するセグメント表示器を用いてもよく、液晶ディスプレイやプラズマディスプレイを用いてもよい。但し、図柄表示装置４１における表示演出への注目度を高める上では、第１特定ランプ部４３に対応した表示部のサイズは、図柄表示装置４１の表示面よりも小さいことが好ましい。
【００２８】
可変入賞装置３２は、通常は遊技球が入賞できない又は入賞し難い閉状態になっており、開閉実行モードにおいて遊技球が入賞しやすい所定の開放状態に切り換えられるようになっている。可変入賞装置３２の開放態様としては、所定時間（例えば３０秒間）の経過又は所定個数（例えば１０個）の入賞を１ラウンドとして、複数ラウンド（例えば１５ラウンド）を上限として可変入賞装置３２が繰り返し開放されるものが一般的である。
【００２９】
遊技盤２４には、内レール部５１と外レール部５２とが取り付けられており、これら内レール部５１と外レール部５２とにより誘導レールが構成され、遊技球発射機構５３から発射された遊技球が遊技領域の上部に案内されるようになっている。遊技球発射機構５３は、図２に示すように、樹脂ベース２１における窓孔２３の下方に取り付けられており、前扉枠１４に設けられた発射ハンドル５４が操作されることにより遊技球の発射動作が行われる。
【００３０】
内枠１３の前面側全体を覆うようにして前扉枠１４が設けられている。前扉枠１４には、図１に示すように窓部６１が形成されている。窓部６１には、遊技領域のほぼ全域を前方から視認することができるように透明な窓パネル６２が嵌め込まれている。窓部６１の周囲には、各種ランプ等の発光手段が設けられている。当該各種ランプ部の一部としてエラー表示ランプ部６３が窓部６１の上方に設けられている。また、エラー表示ランプ部６３の左右両側には、遊技状態に応じた効果音などが出力されるスピーカ部６４が設けられている。
【００３１】
前扉枠１４における窓部６１の下方には、手前側へ膨出した上側膨出部６５と下側膨出部６６とが上下に並設されている。上側膨出部６５には、図１に示すように、貸出操作装置７１が配設されている。貸出操作装置７１には貸出ボタン７２と、返却ボタン７３と、度数表示部７４とが設けられている。貸出指示装置１９に残高の情報が記憶されている状態で、貸出操作装置７１によって球貸し操作、カード返却操作及びカード度数の確認を行うことができる。すなわち、貸出ボタン７２は、貸出指示装置１９に記録された情報に基づいて貸出球を得るために操作されるものであり、貸出指示装置１９に残額が記憶されている限りにおいて貸出球が払い出される。返却ボタン７３は、貸出指示装置１９に記憶された残高の情報を磁気カードとして返却を求める際に操作される。度数表示部７４は貸出指示装置１９に記憶されている残高の情報を表示するものである。
【００３２】
上側膨出部６５内側には上方に開口した上皿８１が設けられており、下側膨出部６６内側には同じく上方に開口した下皿８２が設けられている。上皿８１は、後述する払出装置より払い出された遊技球を一旦貯留し、一列に整列させながら遊技球発射機構５３側へ導くための機能を有する。また、下皿８２は、上皿８１内にて余剰となった遊技球を貯留する機能を有する。
【００３３】
次に、遊技機本体１２の背面側の構成について説明する。なお、以下の説明では、図３に加え図５を適宜参照する。図５は裏パックユニット１５の正面図である。
【００３４】
図３に示すように、内枠１３（具体的には、遊技盤２４）の背面には、主制御装置９１及び音声ランプ制御装置９２が搭載されている。主制御装置９１は、遊技の主たる制御を司る機能（主制御回路）と、電源を監視する機能（停電監視回路）とを有する主制御基板を具備しており、当該主制御基板が基板ボックス９３に収容されて構成されている。基板ボックス９３は、合成樹脂により形成されており、基板ボックス９３の外部から主制御基板を目視確認可能となるように透明（具体的には無色透明）に形成されている。
【００３５】
基板ボックス９３には、その開放の痕跡を残すための痕跡手段が設けられている。当該痕跡手段として具体的には、基板ボックス９３を構成する複数のケース体を分離不能に結合するとともにその分離に際して所定部位の破壊を要する結合部の構成や、引き剥がしに際して粘着層が接着対象に残ることで剥がされたことの痕跡を残す封印シールを複数のケース体間の境界を跨ぐようにして貼り付ける構成が設けられている。
【００３６】
音声ランプ制御装置９２は、主制御装置９１からの指示に従い音声やランプ表示、及び図示しない表示制御装置の制御を司る音声ランプ制御基板を具備しており、音声ランプ制御基板が基板ボックス９４に収容されて構成されている。
【００３７】
裏パックユニット１５は、図５に示すように、裏パック１０１を備えており、当該裏パック１０１に対して、払出機構部１０２及び制御装置集合ユニット１０３が取り付けられている。裏パック１０１は合成樹脂により透明に形成されており、音声ランプ制御装置９２などを後方から覆うように、後方に突出し略直方体形状をなす保護カバー部１０４を有している。
【００３８】
払出機構部１０２は、保護カバー部１０４を迂回するようにして配設されている。払出機構部１０２には、裏パック１０１の最上部に配置され遊技ホールの島設備から供給される遊技球が逐次補給されるタンク１１１と、タンク１１１の下方から下流側に向けて緩やかに傾斜するタンクレール１１２と、タンクレール１１２の下流側に連結され上下方向に延びるケースレール１１３と、ケースレール１１３の最下流部に設けられた払出装置１１４とを備えている。
【００３９】
払出装置１１４は、上流側から供給される遊技球の下流側への流出を阻止する図示しない球止め部材（例えば回転体）を備えており、当該球止め部材が図示しない駆動モータにより駆動されて動作することで、流出が阻止している遊技球が順次、下流側へと導出される。また、払出装置１１４には、下流側へと払い出す遊技球を検知するための図示しない検知センサが設けられている。
【００４０】
払出機構部１０２には、裏パック基板１２１が設置されている。裏パック基板１２１には、例えば交流２４ボルトの主電源が供給され、電源スイッチ１２２の切替操作により電源ＯＮ又は電源ＯＦＦとされるようになっている。
【００４１】
裏パック１０１の下端に制御装置集合ユニット１０３が取り付けられている。制御装置集合ユニット１０３は、払出制御装置１３１と、電源及び発射制御装置１３２とを備えている。これら払出制御装置１３１と、電源及び発射制御装置１３２とは、払出制御装置１３１がパチンコ機１０後方となり電源及び発射制御装置１３２がパチンコ機１０前方となるように前後に重ねて配置されている。
【００４２】
払出制御装置１３１は、払出装置１１４を制御する払出制御基板と、当該払出制御基板と貸出指示装置１９との電気的な接続を中継する接続端子板とが基板ボックス１３３に収容されて構成されている。払出制御装置１３１の詳細な構成については、後に説明する。
【００４３】
電源及び発射制御装置１３２は、各種制御装置等で要する所定の電力が生成されるとともに遊技者による発射ハンドル５４の操作に伴う遊技球の打ち出しの制御を行う電源及び発射制御基板が基板ボックス１３７に収容されて構成されている。また、電源及び発射制御装置１３２にはＲＡＭ消去スイッチ１３８が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ１３８を押しながら電源を投入すると、ＲＡＭデータが初期化されるようになっている。
【００４４】
＜パチンコ機１０の電気的構成＞
次に、パチンコ機１０の電気的構成について、図６のブロック図に基づいて説明する。図６では、電力の供給ラインを二重線矢印で示し、信号ラインを実線矢印で示す。
【００４５】
主制御装置９１に設けられた主制御基板１５１には、主制御回路１５２と停電監視回路１５３とが設けられている。主制御回路１５２には、演算装置である１チップマイコンとしてＭＰＵ１６１が搭載されている。
【００４６】
ＭＰＵ１６１には、当該ＭＰＵ１６１により実行される各種の制御プログラムや固定値データを記憶したＲＯＭ１６２（不揮発性記憶手段）と、そのＲＯＭ１６２内に記憶される制御プログラムの実行に際して各種のデータ等を一時的に記憶するためのメモリであるＲＡＭ１６３（揮発性記憶手段）と、割込回路やタイマ回路、データ入出力回路などの各種回路が内蔵されている。なお、ＭＰＵ１６１、ＲＯＭ１６２及びＲＡＭ１６３の一部又は全部をそれぞれ別のチップとして設けてもよい。
【００４７】
ＲＡＭ１６３は、パチンコ機１０の電源の遮断後においても電源及び発射制御装置１３２に設けられた電源及び発射制御基板１９１から記憶保持用電力が供給されて情報が記憶保持される構成となっている。
【００４８】
ＭＰＵ１６１には入出力ポートが設けられており、ＭＰＵ１６１において入出力が適宜変更されるようになっている。なお、入力ポートと出力ポートとをそれぞれ個別に有する構成としてもよい。これは、後述する他のＭＰＵにおいても同様である。
【００４９】
ＭＰＵ１６１の入力側には、主制御基板１５１に設けられた停電監視回路１５３、払出制御装置１３１に設けられた払出制御基板１７１及びその他図示しないセンサ群などが接続されている。この場合に、停電監視回路１５３には電源及び発射制御基板１９１が接続されており、ＭＰＵ１６１（主制御回路１５２）には停電監視回路１５３を介して電力が供給される。また、スイッチ群の一部として、作動口３３，３４及び可変入賞装置３２などといった入球部に設けられた複数の検知センサが接続されており、主制御装置９１のＭＰＵ１６１において入球部への入球判定が行われる。また、ＭＰＵ１６１では、入球部のうち、作動口３３，３４への入球に基づいて当否抽選を実行する。
【００５０】
ここで、ＭＰＵ１６１にて各種抽選を行う上での電気的な構成について図７を用いて説明する。
【００５１】
ＭＰＵ１６１は遊技に際し各種カウンタ情報を用いて、大当たり発生抽選、第１特定ランプ部４３の表示の設定、図柄表示装置４１の図柄表示の設定、第２特定ランプ部４４の表示の設定などを行うこととしており、具体的には、大当たり発生の抽選に使用する大当たり乱数カウンタＣ１と、大当たり種別を判定する際に使用する大当たり種別カウンタＣ２と、図柄表示装置４１が外れ変動する際のリーチ発生抽選に使用するリーチ乱数カウンタＣ３と、大当たり乱数カウンタＣ１の初期値設定に使用する乱数初期値カウンタＣＩＮＩと、第１特定ランプ部４３及び図柄表示装置４１における表示継続時間を決定する変動種別カウンタＣＳと、を用いることとしている。さらに、下作動口３４の電動役物３４ａを電役開放状態とするか否かの抽選に使用する電動役物開放カウンタＣ４を用いることとしている。なお、上記各カウンタＣ１〜Ｃ３，ＣＩＮＩ，ＣＳ，Ｃ４は、ＲＡＭ１６３の抽選用カウンタエリア１６３ａに設けられている。
【００５２】
各カウンタＣ１〜Ｃ３，ＣＩＮＩ，ＣＳ，Ｃ４は、その更新の都度前回値に１が加算され、最大値に達した後０に戻るループカウンタとなっている。各カウンタは短時間間隔で更新される。大当たり乱数カウンタＣ１、大当たり種別カウンタＣ２及びリーチ乱数カウンタＣ３に対応した情報は、上作動口３３又は下作動口３４への入賞が発生した場合に保留格納エリア１６３ｂに格納される。
【００５３】
保留格納エリア１６３ｂは、保留用エリアＲＥと、実行エリアＡＥとを備えている。保留用エリアＲＥは、第１保留エリアＲＥ１、第２保留エリアＲＥ２、第３保留エリアＲＥ３及び第４保留エリアＲＥ４を備えており、上作動口３３又は下作動口３４への入賞履歴に合わせて、大当たり乱数カウンタＣ１、大当たり種別カウンタＣ２及びリーチ乱数カウンタＣ３の各数値情報が保留情報として、いずれかの保留エリアＲＥ１〜ＲＥ４に格納される。
【００５４】
この場合、第１保留エリアＲＥ１〜第４保留エリアＲＥ４には、上作動口３３又は下作動口３４への入賞が複数回連続して発生した場合に、第１保留エリアＲＥ１→第２保留エリアＲＥ２→第３保留エリアＲＥ３→第４保留エリアＲＥ４の順に各数値情報が時系列的に格納されていく。このように４つの保留エリアＲＥ１〜ＲＥ４が設けられていることにより、上作動口３３又は下作動口３４への遊技球の入賞履歴が最大４個まで保留記憶されるようになっている。
【００５５】
実行エリアＡＥは、第１特定ランプ部４３の変動表示を開始する際に、保留用エリアＲＥの第１保留エリアＲＥ１に格納された各値を移動させるためのエリアであり、１遊技回の開始に際しては実行エリアＡＥに記憶されている各種数値情報に基づいて、当否判定などが行われる。
【００５６】
上記各カウンタについて詳細に説明する。
【００５７】
大当たり乱数カウンタＣ１は、例えば０〜５９９の範囲内で順に１ずつ加算され、最大値に達した後０に戻る構成となっている。特に大当たり乱数カウンタＣ１が１周した場合、その時点の乱数初期値カウンタＣＩＮＩの値が当該大当たり乱数カウンタＣ１の初期値として読み込まれる。なお、乱数初期値カウンタＣＩＮＩは、大当たり乱数カウンタＣ１と同様のループカウンタである（値＝０〜５９９）。大当たり乱数カウンタＣ１は定期的に更新され、遊技球が上作動口３３又は下作動口３４に入賞したタイミングで保留格納エリア１６３ｂに格納される。
【００５８】
大当たり当選となる乱数の値は、ＲＯＭ１６２に当否テーブルとして記憶されている。当否テーブルとしては、低確率モード用の当否テーブルと、高確率モード用の当否テーブルとが設定されている。つまり、本パチンコ機１０は、当否抽選手段における抽選モードとして低確率モードと高確率モードとが設定されている。
【００５９】
上記抽選に際して低確率モード用の当否テーブルが参照されることとなる遊技状態下では、大当たり当選となる乱数の数は２個である。一方、上記抽選に際して高確率モード用の当否テーブルが参照されることとなる遊技状態下では、大当たり当選となる乱数の数は２０個である。なお、低確率モードよりも高確率モードの方の当選確率が高くなるのであれば、上記当選となる乱数の数は任意である。
【００６０】
大当たり種別カウンタＣ２は、０〜２９の範囲内で順に１ずつ加算され、最大値に達した後０に戻る構成となっている。大当たり種別カウンタＣ２は定期的に更新され、遊技球が上作動口３３又は下作動口３４に入賞したタイミングで保留格納エリア１６３ｂに格納される。
【００６１】
本パチンコ機１０では、複数の大当たり結果が設定されている。これら複数の大当たり結果は、（１）開閉実行モードにおける可変入賞装置３２の開閉制御の態様、（２）開閉実行モード終了後における当否抽選の抽選モード、（３）開閉実行モード終了後の下作動口３４の電動役物３４ａにおけるサポートモード、という３つの条件に差異を設けることにより、複数の大当たり結果が設定されている。
【００６２】
開閉実行モードにおける可変入賞装置３２の開閉制御の態様としては、開閉実行モードが開始されてから終了するまでの間における可変入賞装置３２への入賞の発生頻度が相対的に高低となるように高頻度入賞モードと低頻度入賞モードとが設定されている。具体的には、高頻度入賞モード及び低頻度入賞モードのいずれであっても、予め定められた回数のラウンド遊技を上限として実行される。
【００６３】
ここで、ラウンド遊技とは、予め定められた上限継続時間が経過すること、及び予め定められた上限個数の遊技球が可変入賞装置３２に入賞することのいずれか一方の条件が満たされるまで継続する遊技のことである。また、大当たり結果が契機となった開閉実行モードにおけるラウンド遊技の回数は、その移行の契機となった大当たり結果の種類がいずれであっても固定ラウンド回数で同一となっている。具体的には、いずれの大当たり結果となった場合であっても、ラウンド遊技の上限回数は１５ラウンドに設定されている。
【００６４】
また、本パチンコ機１０では、可変入賞装置３２の１回の開放態様が、可変入賞装置３２が開放されてから閉鎖されるまでの開放継続時間を相違させて、複数種類設定されている。詳細には、開放継続時間が長時間である２９ｓｅｃに設定された長時間態様と、開放継続時間が上記長時間よりも短い短時間である０．８ｓｅｃに設定された短時間態様と、が設定されている。
【００６５】
本パチンコ機１０では、発射ハンドル５４が遊技者により操作されている状況では、０．６ｓｅｃに１個の遊技球が遊技領域に向けて発射されるように遊技球発射機構５３が駆動制御される。また、ラウンド遊技は終了条件の上限個数が９個に設定されている。そうすると、上記開放態様のうち長時間態様では、遊技球の発射周期と１回のラウンド遊技の上限個数との積よりも長い時間の開放継続時間が設定されていることとなる。一方、短時間態様では、遊技球の発射周期と１回のラウンド遊技の上限個数との積よりも短い時間、より詳細には、遊技球の発射周期と同程度又は若干長い程度の開放継続時間が設定されている。したがって、長時間態様で可変入賞装置３２の１回の開放が行われた場合には、可変入賞装置３２に、１回のラウンド遊技における上限個数分の入賞が発生することが期待され、短時間態様で可変入賞装置３２の１回の開放が行われた場合には、可変入賞装置３２への入賞が発生しないこと又は入賞が発生するとしても１個程度となることが期待される。
【００６６】
高頻度入賞モードでは、各ラウンド遊技において長時間態様による可変入賞装置３２の開放が１回行われる。一方、低頻度入賞モードでは、各ラウンド遊技において短時間態様による可変入賞装置３２の開放が１回行われる。
【００６７】
なお、高頻度入賞モード及び低頻度入賞モードにおける可変入賞装置３２の開閉回数、ラウンド遊技の回数、１回の開放に対する開放継続時間及び１回のラウンド遊技における上限個数は、高頻度入賞モードの方が低頻度入賞モードよりも、開閉実行モードが開始されてから終了するまでの間における可変入賞装置３２への入賞の発生頻度が高くなるのであれば、上記の値に限定されることはなく任意である。
【００６８】
下作動口３４の電動役物３４ａにおけるサポートモードとしては、遊技領域に同様の態様で遊技球の発射が継続されている状況で比較した場合に、下作動口３４の電動役物３４ａが単位時間当たりに開放状態となる頻度が相対的に高低となるように、高頻度サポートモードと低頻度サポートモードとが設定されている。
【００６９】
具体的には、低頻度サポートモードと高頻度サポートモードとでは、電動役物開放カウンタＣ４を用いた電動役物開放抽選における電役開放状態当選となる確率は同一（例えば、共に４／５）となっているが、高頻度サポートモードでは低頻度サポートモードよりも、電役開放状態当選となった際に電動役物３４ａが開放状態となる回数が多く設定されており、さらに１回の開放時間が長く設定されている。この場合、高頻度サポートモードにおいて電役開放状態当選となり電動役物３４ａの開放状態が複数回発生する場合において、１回の開放状態が終了してから次の開放状態が開始されるまでの閉鎖時間は、１回の開放時間よりも短く設定されている。さらにまた、高頻度サポートモードでは低頻度サポートモードよりも、１回の電動役物開放抽選が行われてから次の電動役物開放抽選が行われる上で最低限確保される確保時間として短い時間が選択されるように設定されている。
【００７０】
上記のように高頻度サポートモードでは、低頻度サポートモードよりも下作動口３４への入賞が発生する確率が高くなる。換言すれば、低頻度サポートモードでは、下作動口３４よりも上作動口３３への入賞が発生する確率が高くなるが、高頻度サポートモードでは、上作動口３３よりも下作動口３４への入賞が発生する確率が高くなる。そして、下作動口３４への入賞が発生した場合には、所定個数の遊技球の払出が実行されるため、高頻度サポートモードでは、遊技者は持ち球をあまり減らさないようにしながら遊技を行うことができる。
【００７１】
なお、高頻度サポートモードを低頻度サポートモードよりも単位時間当たりに電役開放状態となる頻度を高くする上での構成は、上記のものに限定されることはなく、例えば電動役物開放抽選における電役開放状態当選となる確率を高くする構成としてもよい。また、１回の電動役物開放抽選が行われてから次の電動役物開放抽選が行われる上で確保される確保時間（例えば、スルーゲート３５への入賞に基づき第２特定ランプ部４４にて実行される変動表示の時間）が複数種類用意されている構成においては、高頻度サポートモードでは低頻度サポートモードよりも、短い確保時間が選択され易い又は平均の確保時間が短くなるように設定されていてもよい。さらには、開放回数を多くする、開放時間を長くする、１回の電動役物開放抽選が行われてから次の電動役物開放抽選が行われる上で確保される確保時間を短くする（すなわち、第２特定ランプ部４４における１回の変動表示時間を短くする）、係る確保時間の平均時間を短くする及び当選確率を高くするのうち、いずれか１条件又は任意の組み合わせの条件を適用することで、低頻度サポートモードに対する高頻度サポートモードの有利性を高めてもよい。
【００７２】
大当たり種別カウンタＣ２に対する遊技結果の振分先はＲＯＭ１６２に振分テーブルとして記憶されている。そして、かかる振分先として、低確大当たり結果と、低入賞高確大当たり結果と、最有利大当たり結果とが設定されている。
【００７３】
低確大当たり結果は、開閉実行モードが高頻度入賞モードとなり、さらに開閉実行モードの終了後には、当否抽選モードが低確率モードとなるとともに、サポートモードが高頻度サポートモードとなる大当たり結果である。但し、この高頻度サポートモードは、移行後において遊技回数が終了基準回数（具体的には、１００回）に達した場合に低頻度サポートモードに移行する。
【００７４】
低入賞高確大当たり結果は、開閉実行モードが低頻度入賞モードとなり、さらに開閉実行モードの終了後には、当否抽選モードが高確率モードとなるとともに、サポートモードが高頻度サポートモードとなる大当たり結果である。これら高確率モード及び高頻度サポートモードは、当否抽選における抽選結果が大当たり結果となり、それによる大当たり状態に移行するまで継続する。
【００７５】
最有利大当たり結果は、開閉実行モードが高頻度入賞モードとなり、さらに開閉実行モードの終了後には、当否抽選モードが高確率モードとなるとともに、サポートモードが高頻度サポートモードとなる大当たり結果である。これら高確率モード及び高頻度サポートモードは、当否抽選における抽選結果が大当たり結果となり、それによる大当たり状態に移行するまで継続する。
【００７６】
なお、上記各遊技状態との関係で通常遊技状態とは、開閉実行モードではなく、さらに当否抽選モードが低確率モードであり、サポートモードが低頻度サポートモードである状態をいう。また、遊技結果として、低入賞高確大当たり結果が設定されていない構成としてもよい。
【００７７】
振分テーブルでは、「０〜２９」の大当たり種別カウンタＣ２の値のうち、「０〜９」が低確大当たり結果に対応しており、「１０〜１４」が低入賞高確大当たり結果に対応しており、「１５〜２９」が最有利大当たり結果に対応している。
【００７８】
なお、高確大当たり結果の一種として、開閉実行モードが低頻度入賞モードとなり、さらに開閉実行モードの終了後には、当否抽選モードが高確率モードとなるとともに、サポートモードがそれまでのモードに維持されることとなる非明示の低入賞高確大当たり結果（非明示高確率対応遊技結果又は潜伏確変状態となる結果）が含まれていてもよい。この場合、大当たり結果のさらなる多様化が図られる。
【００７９】
さらにまた、当否抽選における外れ結果の一種として、低頻度入賞モードの開閉実行モードに移行するとともに、その終了後において当否抽選モード及びサポートモードの移行が発生しない特別外れ結果が含まれていてもよい。上記のような非明示の低入賞高確大当たり結果と当該特別外れ結果との両方が設定されている構成においては、開閉実行モードが低頻度入賞モードに移行すること、及びサポートモードがそれまでのモードに維持されることで共通しているのに対して、当否抽選モードの移行態様が異なっていることにより、例えば通常遊技状態において非明示の低入賞高確大当たり結果又は特別外れ結果の一方が発生した場合に、それが実際にいずれの結果に対応しているのかを遊技者に予測させることが可能となる。
【００８０】
リーチ乱数カウンタＣ３は、例えば０〜２３８の範囲内で順に１ずつ加算され、最大値に達した後０に戻る構成となっている。リーチ乱数カウンタＣ３は定期的に更新され、遊技球が上作動口３３又は下作動口３４に入賞したタイミングで保留格納エリア１６３ｂに格納される。
【００８１】
ここで、本パチンコ機１０には、図柄表示装置４１における表示演出の一種としてリーチ表示が設定されている。リーチ表示とは、図柄の変動表示を行うことが可能な図柄表示装置４１を備え、可変入賞装置３２の開閉実行モードが高頻度入賞モードとなる遊技回では変動表示後の停止表示結果が特別表示結果となる遊技機において、図柄表示装置４１における図柄の変動表示が開始されてから停止表示結果が導出表示される前段階で、前記特別表示結果となり易い変動表示状態であると遊技者に思わせるための表示状態をいう。
【００８２】
リーチ表示には、図柄表示装置４１の表示面に表示される複数の図柄列のうち一部の図柄列について図柄を停止表示させることで、高頻度入賞モードの発生に対応した大当たり図柄の組み合わせが成立する可能性があるリーチ図柄の組み合わせを表示し、その状態で残りの図柄列において図柄の変動表示を行う表示状態が含まれる。また、上記のようにリーチ図柄の組み合わせを表示した状態で、残りの図柄列において図柄の変動表示を行うとともに、その背景画像において所定のキャラクタなどを動画として表示することによりリーチ演出を行うものや、リーチ図柄の組み合わせを縮小表示させる又は非表示とした上で、表示面の略全体において所定のキャラクタなどを動画として表示することによりリーチ演出を行うものが含まれる。
【００８３】
リーチ表示は、高頻度入賞モードとなる開閉実行モードに移行する遊技回では、リーチ乱数カウンタＣ３の値に関係なく実行される。また、開閉実行モードに移行しない遊技回では、ＲＯＭ１６２に記憶されたリーチ用テーブルを参照して、所定のタイミングで取得したリーチ乱数カウンタＣ３がリーチ表示の発生に対応している場合に実行される。つまり、リーチ乱数カウンタＣ３の数値情報は、リーチ表示を実行するか否かを決定するために利用される。但し、リーチ表示の種類の決定に際しては、リーチ乱数カウンタＣ３の数値情報は利用されない。
【００８４】
変動種別カウンタＣＳは、例えば０〜１９８の範囲内で順に１ずつ加算され、最大値に達した後０に戻る構成となっている。変動種別カウンタＣＳは、第１特定ランプ部４３における変動表示時間と、図柄表示装置４１における図柄の変動表示時間とをＭＰＵ１６１において決定する上で用いられる。変動種別カウンタＣＳは、後述するタイマ割込み処理のそれぞれにて更新され、第１特定ランプ部４３における変動表示の開始時及び図柄表示装置４１による図柄の変動開始時における変動パターン決定に際して変動種別カウンタＣＳの値が取得される。なお、変動表示時間の決定に際しては、ＲＯＭ１６２の変動表示時間テーブル記憶エリアに予め記憶されている変動表示時間テーブルが参照される。
【００８５】
ここで、上記リーチ乱数カウンタＣ３から取得した数値情報に基づきリーチ表示を発生させることが決定された場合や、高頻度入賞モードとなる開閉実行モードに移行する遊技回であることに起因してリーチ表示を発生させることが決定された場合には、変動種別カウンタＣＳから取得した数値情報を利用してリーチ表示の種類が決定される。各リーチ表示は、リーチ表示において出現するキャラクタの種類や、リーチ表示が実行される期間などが相違している。
【００８６】
電動役物開放カウンタＣ４は、例えば、０〜２５０の範囲内で順に１ずつ加算され、最大値に達した後０に戻る構成となっている。電動役物開放カウンタＣ４は定期的に更新され、スルーゲート３５に遊技球が入賞したタイミングでＲＡＭ１６３に設けられた電役保留エリア１６３ｃに格納される。そして、所定のタイミングにおいて、その格納された電動役物開放カウンタＣ４の値によって電動役物３４ａを開放状態に制御するか否かの抽選が行われる。
【００８７】
図６の説明に戻り、ＭＰＵ１６１の出力側には、停電監視回路１５３、払出制御基板１７１及び音声ランプ制御装置９２が接続されている。払出制御基板１７１には、賞球コマンドなどといった各種コマンドが出力される。音声ランプ制御装置９２には、当否抽選の結果や大当たり種別抽選の結果に対応した種別コマンド、及び変動表示時間の情報を含む変動コマンドといった遊技回制御用のコマンドが出力されるとともに、開閉実行モード中の演出を制御するためのコマンドが出力される。
【００８８】
停電監視回路１５３は、主制御回路１５２と電源及び発射制御基板１９１とを中継し、また電源及び発射制御基板１９１から出力される最大電圧である直流安定２４ボルトの電圧を監視する。そして、この電圧が２２ボルト未満になると電源遮断の発生と判断し、主制御回路１５２に停電信号を送信する。
【００８９】
払出制御基板１７１は、払出装置１１４を利用して賞球などの払出制御を行うものである。演算装置である１チップマイコンとしてのＭＰＵ１８１は、そのＭＰＵ１８１により実行される制御プログラムや固定値データ等を記憶したＲＯＭ１８２と、ワークメモリ等として使用されるＲＡＭ１８３とを備えている。なお、ＭＰＵ１８１、ＲＯＭ１８２及びＲＡＭ１８３の一部又は全部をそれぞれ別のチップとして設けてもよい。
【００９０】
払出制御基板１７１のＭＰＵ１８１には、入出力ポートが設けられている。ＭＰＵ１８１の入力側には、主制御回路１５２と、電源及び発射制御基板１９１と、接続端子板１７２とが接続されている。また、ＭＰＵ１８１の出力側には、主制御回路１５２と、接続端子板１７２とが接続されているとともに、払出装置１１４が接続されている（払出装置１１４については図６において省略）。また、払出制御基板１７１にはＭＰＵ１８１が介在することなく貸出操作装置７１が接続されている。接続端子板１７２は、払出制御基板１７１と貸出指示装置１９との電気的な接続を中継する中継基板としての機能を有する。
【００９１】
貸出指示装置１９は、遊技者が貸出操作装置７１に対して貸出操作を行った場合に払出制御基板１７１に対して貸出指示を行うものである。演算装置である１チップマイコンとしてのＭＰＵ２１１は、そのＭＰＵ２１１により実行される制御プログラムや固定値データ等を記憶したＲＯＭ２１２と、ワークメモリ等として使用されるＲＡＭ２１３とを備えている。なお、ＭＰＵ２１１、ＲＯＭ２１２及びＲＡＭ２１３の一部又は全部をそれぞれ別のチップとして設けてもよい。
【００９２】
貸出指示装置１９は、リーダライタ２１４及び電源部２１５を備えている。リーダライタ２１４は、カード口１９ａに挿入された磁気カードの残高金額を読み出すためのリーダ機能と、その磁気カードへ使用後の残高金額を書き込むためのライタ機能とを備えた磁気ヘッドで構成されている。リーダライタ２１４はＭＰＵ２１１と電気的に接続されており、ＭＰＵ２１１ではリーダライタ２１４により磁気カードの残高金額を読み出すとともに、ＭＰＵ２１１において後述する貸出指示を行った場合に使用後の残高金額をリーダライタ２１４により磁気カードに書き込ませる。電源部２１５は、電源及び発射制御基板１９１を通じて供給される交流２４ボルト電源に基づいて、ロジック用の＋５Ｖ電圧となる直流電力、及びリーダライタ２１４等を駆動するための＋１２Ｖ電圧となる直流電力を、ＭＰＵ２１１やリーダライタ２１４等に供給する。
【００９３】
電源及び発射制御基板１９１は、電入時用電源部１９２と発射制御部１９３とを備えている。電入時用電源部１９２は、例えば、遊技ホール等における商用電源（外部電源）に接続されている。そして、その商用電源から供給される外部電力に基づいて主制御回路１５２及び払出制御基板１７１等に対して各々に必要な動作電力を生成するとともに、その生成した動作電力を二重線矢印で示す経路を通じて主制御回路１５２及び払出制御基板１７１等に供給する。その概要としては、電入時用電源部１９２は、交流２４ボルト電源を取り込み、各種センサやモータ等を駆動するための＋１２Ｖ電圧となる直流電力、ロジック用の＋５Ｖ電圧となる直流電力などを生成し、これら＋１２Ｖ電圧となる直流電力、＋５Ｖ電圧となる直流電力を主制御回路１５２及び払出制御基板１７１等に供給する。また、電源及び発射制御基板１９１は、取り込んだ交流２４ボルト電源をそのまま貸出指示装置１９に供給する。
【００９４】
発射制御部１９３は、遊技者による発射ハンドル５４の操作にしたがって遊技球発射機構５３の発射制御を担うものであり、遊技球発射機構５３は所定の発射条件が整っている場合に駆動される。
【００９５】
電源及び発射制御基板１９１には、電断時用電源部１９４が搭載されている。電断時用電源部１９４はコンデンサからなり、パチンコ機１０の電源がＯＮ状態の場合（外部電源からの電力供給が行われている場合）に電入時用電源部１９２から供給される電力により充電される。また、パチンコ機１０の電源がＯＦＦ状態の場合や商用電源における停電発生時といった電源遮断状態（外部電源からの電力供給が遮断されている場合）では、電断時用電源部１９４から放電され主制御基板１５１のＲＡＭ１６３及び払出制御基板１７１のＲＡＭ１８３に対して記憶保持用電力が供給される。よって、かかる状況であっても、電断時用電源部１９４から記憶保持用電力が供給されている間はＲＡＭ１６３，１８３に記憶された情報が消去されることなく記憶保持される。ちなみに、電断時用電源部１９４の容量は比較的大きく確保されており、電源遮断前にＲＡＭ１６３，１８３に記憶されていた情報は所定の期間内（例えば、１日や２日）保持される。
【００９６】
電源及び発射制御基板１９１には、上記電断時用電源部１９４とは異なる停電時処理用電源部が設けられている。電源及び発射制御基板１９１では、直流安定２４ボルトの電源が２２ボルト未満になった後においても、停電時処理用電源部から放電することにより、後述する停電時処理の実行に十分な時間の間、制御系の駆動電源である５ボルトの出力を正常値に維持するように構成されている。これにより、主制御回路１５２などは、停電時処理を正常に実行し完了することができる。
【００９７】
音声ランプ制御装置９２は、主制御回路１５２から受信したコマンドに基づき、エラー表示ランプ部６３、スピーカ部６４、及び表示制御装置２０１を制御するものである。また、表示制御装置２０１は、音声ランプ制御装置９２から受信したコマンドに基づき、図柄表示装置４１を制御する。
【００９８】
＜各装置にて実行される制御処理＞
次に、各装置にて実行される制御処理について説明する。
【００９９】
なお、以下の説明では、理解を容易なものとするために、主制御装置９１のＭＰＵ１６１、ＲＯＭ１６２及びＲＡＭ１６３を、それぞれ主側ＭＰＵ１６１、主側ＲＯＭ１６２及び主側ＲＡＭ１６３といい、払出制御装置１３１のＭＰＵ１８１、ＲＯＭ１８２及びＲＡＭ１８３を、それぞれ払出側ＭＰＵ１８１、払出側ＲＯＭ１８２及び払出側ＲＡＭ１８３といい、貸出指示装置１９のＭＰＵ２１１、ＲＯＭ２１２及びＲＡＭ２１３を、それぞれ貸出側ＭＰＵ２１１、貸出側ＲＯＭ２１２及び貸出側ＲＡＭ２１３という。
【０１００】
まず、主側ＭＰＵ１６１にて実行されるタイマ割込み処理について説明する。図８は主側ＭＰＵ１６１にて実行されるタイマ割込み処理を示すフローチャートである。当該タイマ割込み処理は、定期的（例えば４ｍｓｅｃ）に起動される。
【０１０１】
タイマ割込み処理では、まずステップＳ１０１にて停電情報記憶処理を実行する。停電情報記憶処理では、停電監視回路１５３から電源遮断の発生に対応した停電信号を受信しているか否かを監視し、停電の発生を特定した場合には主側ＲＡＭ１６３の停電フラグに「１」をセットする。停電フラグに「１」がセットされることにより、今回のタイマ割込み処理の終了後に停電時処理を実行する。
【０１０２】
続くステップＳ１０２では抽選用乱数更新処理を実行する。抽選用乱数更新処理では、大当たり乱数カウンタＣ１、大当たり種別カウンタＣ２、リーチ乱数カウンタＣ３及び電動役物開放カウンタＣ４の更新を実行する。具体的には、大当たり乱数カウンタＣ１、大当たり種別カウンタＣ２、リーチ乱数カウンタＣ３及び電動役物開放カウンタＣ４から現状の数値情報を順次読み出し、それら読み出した数値情報をそれぞれ１加算する処理を実行した後に、読み出し元のカウンタに上書きする処理を実行する。この場合、カウンタ値が最大値に達した際それぞれ「０」にクリアする。
【０１０３】
その後、ステップＳ１０３では乱数初期値更新処理を実行するとともに、ステップＳ１０４にて変動用カウンタ更新処理を実行する。乱数初期値更新処理では、乱数初期値カウンタＣＩＮＩの更新を実行し、変動用カウンタ更新処理では、変動種別カウンタＣＳの更新を実行する。続くステップＳ１０５では遊技停止判定処理を実行する。遊技停止判定処理では、遊技の進行を停止すべき状況であるか否かを監視し、遊技の進行を停止すべき状況であれば遊技を進行させるための処理の実行を停止する。
【０１０４】
その後、ステップＳ１０６では遊技の進行を停止している状態であるか否かを判定し、遊技の進行を停止していない状態であることを条件に、ステップＳ１０７以降の処理を実行する。
【０１０５】
ステップＳ１０７では、ポート出力処理を実行する。ポート出力処理では、前回のタイマ割込み処理において出力情報の設定が行われている場合に、その出力情報に対応した出力を各種駆動部に行うための処理を実行する。例えば、可変入賞装置３２を開放状態に切り換えるべき情報が設定されている場合にはそれに対応した駆動部への駆動信号の出力を開始させ、閉鎖状態に切り換えるべき情報が設定されている場合には当該駆動信号の出力を停止させる。また、下作動口３４の電動役物３４ａを開放状態に切り換えるべき情報が設定されている場合にはそれに対応した駆動部への駆動信号の出力を開始させ、閉鎖状態に切り換えるべき情報が設定されている場合には当該駆動信号の出力を停止させる。
【０１０６】
続くステップＳ１０８では、読み込み処理を実行する。読み込み処理では、停電信号及び入賞信号以外の信号の読み込みを実行し、その読み込んだ情報を今後の処理にて利用するために記憶する。
【０１０７】
続くステップＳ１０９では、一般入賞口３１、可変入賞装置３２、上作動口３３、下作動口３４及びスルーゲート３５に設けられた検知センサから受信している信号を読み込むとともに、その読み込んだ情報に対応した処理を行うための入賞検知処理を実行する。また、ステップＳ１１０では、主側ＲＡＭ１６３に設けられている所定のタイマカウンタの数値情報をまとめて更新するためのタイマ更新処理を実行する。また、ステップＳ１１１では、不正用の監視対象として設定されている所定の事象が発生しているか否かを監視する不正検知処理を実行する。
【０１０８】
続くステップＳ１１２では、賞球コマンドの出力設定処理を実行する。当該出力設定処理では、上記入賞検知処理の結果、一般入賞口３１、可変入賞装置３２、上作動口３３及び下作動口３４のいずれかに遊技球が入球したことを特定した場合に、その入球が発生した箇所に対応した賞球コマンドを払出側ＭＰＵ１８１に出力する。払出側ＭＰＵ１８１ではその受信した賞球コマンドに対応した数の遊技球が上皿８１又は下皿８２に払い出されるように払出装置１１４を駆動制御する。
【０１０９】
続くステップＳ１１３では、入力状態監視処理として、ステップＳ１０８の読み込み処理にて読み込んだ情報に基づいて、各入賞検知センサの断線確認、遊技機本体１２の開放確認、及び前扉枠１４の開放確認を行う。
【０１１０】
続くステップＳ１１４では、遊技回の実行制御及び開閉実行モードの実行制御を行うための特図特電制御処理を実行する。当該特図特電制御処理については、後に詳細に説明する。
【０１１１】
続くステップＳ１１５では普図普電制御処理を実行する。普図普電制御処理では、スルーゲート３５への入賞が発生している場合に後述する電動役物開放カウンタＣ４の数値情報を取得するための処理を実行するとともに、当該数値情報が記憶されている場合にその数値情報について開放判定を行い、さらにその開放判定を契機として普図用の演出を行うための処理を実行する。また、開放判定の結果に基づいて、下作動口３４の電動役物３４ａを開閉させる処理を実行する。
【０１１２】
続くステップＳ１１６では、直前のステップＳ１１４及びステップＳ１１５の処理結果に基づいて、第１特定ランプ部４３の表示内容を更新させるための出力情報の設定を行うとともに、第２特定ランプ部４４の表示内容を更新させるための出力情報の設定を行う。
【０１１３】
続くステップＳ１１７では、遊技回及び開閉実行モードの両方が実行されていない状況において図柄表示装置４１の表示内容を待機表示用のものとするためのデモ表示用処理を実行する。
【０１１４】
続くステップＳ１１８では、今回のタイマ割込み処理にて実行された各種処理の処理結果に応じた外部信号の出力の開始及び終了を制御するように外部情報設定処理を実行する。ステップＳ１０６にて肯定判定をした場合、又はステップＳ１０７〜ステップＳ１１８の処理を実行した後は、本タイマ割込み処理を終了する。
【０１１５】
図９は、特図特電制御処理（ステップＳ１１４）を示すフローチャートである。
【０１１６】
特図特電制御処理では、まずステップＳ２０１にて保留情報の取得処理を実行する。保留情報の取得処理では、上作動口３３又は下作動口３４への入賞が発生しているか否かを判定し、入賞が発生している場合には保留格納エリア１６３ｂにおける保留数が上限値（本実施の形態では「４」）未満であるか否かを判定する。保留数が上限値未満である場合には、保留数を１加算するとともに、前回のステップＳ１０２にて更新した大当たり乱数カウンタＣ１、大当たり種別カウンタＣ２及びリーチ乱数カウンタＣ３の各数値情報を、保留用エリアＲＥの空き保留エリアＲＥ１〜ＲＥ４のうち最初の保留エリアに格納する。
【０１１７】
なお、上作動口３３及び下作動口３４への入賞が同時に発生している場合には、保留情報の取得処理を１回実行する範囲内において、上記保留情報を取得するための処理を複数回実行する。
【０１１８】
ステップＳ２０１にて保留情報の取得処理を実行した後は、ステップＳ２０２に進む。ステップＳ２０２では、主側ＲＡＭ１６３に設けられた特図特電カウンタの情報を読み出す処理を実行し、ステップＳ２０３にて主側ＲＯＭ１６２から特図特電アドレステーブルを読み出す処理を実行する。そして、ステップＳ２０４にて、特図特電アドレステーブルから特図特電カウンタの情報に対応した開始アドレスを取得する処理を実行する。
【０１１９】
ここで、ステップＳ２０２〜ステップＳ２０４の処理内容について説明する。
【０１２０】
既に説明したとおり特図特電制御処理には、遊技回用の演出に係る処理と、開閉実行モードに係る処理と、が含まれている。この場合に、遊技回用の演出に係る処理として、遊技回用の演出を開始させるための処理である特図変動開始処理（ステップＳ２０６）と、遊技回用の演出を進行させるための処理である特図変動中処理（ステップＳ２０７）と、遊技回用の演出を終了させるための処理である特図確定中処理（ステップＳ２０８）と、が設定されている。
【０１２１】
また、開閉実行モードに係る処理として、開閉実行モードのオープニングを制御するための処理である特電開始処理（ステップＳ２０９）と、可変入賞装置３２の開放中の状態を制御するための処理である特電開放中処理（ステップ２１０）と、可変入賞装置３２の閉鎖中の状態を制御するための処理である特電閉鎖中処理（ステップＳ２１１）と、開閉実行モードのエンディング及び開閉実行モード終了時の遊技状態の移行を制御するための処理である特電終了処理（ステップＳ２１２）と、が設定されている。
【０１２２】
このような処理構成において、特図特電カウンタは、上記複数種類の処理のうちいずれを実行すべきであるかを主側ＭＰＵ１６１にて把握するためのカウンタであり、特図特電アドレステーブルには、特図特電カウンタの数値情報に対応させて、上記複数種類の処理を実行するためのプログラムの開始アドレスが設定されている。
【０１２３】
この場合、開始アドレスＳＡ０は、特図変動開始処理（ステップＳ２０６）を実行するためのプログラムの開始アドレスであり、開始アドレスＳＡ１は、特図変動中処理（ステップＳ２０７）を実行するためのプログラムの開始アドレスであり、開始アドレスＳＡ２は、特図確定中処理（ステップＳ２０８）を実行するためのプログラムの開始アドレスであり、開始アドレスＳＡ３は、特電開始処理（ステップＳ２０９）を実行するためのプログラムの開始アドレスであり、開始アドレスＳＡ４は、特電開放中処理（ステップＳ２１０）を実行するためのプログラムの開始アドレスであり、開始アドレスＳＡ５は、特電閉鎖中処理（ステップＳ２１１）を実行するためのプログラムの開始アドレスであり、開始アドレスＳＡ６は、特電終了処理（ステップＳ２１２）を実行するためのプログラムの開始アドレスである。
【０１２４】
特図特電カウンタは、現状格納されている数値情報に対応した処理を終了した場合に当該数値情報を更新すべき条件が成立していることを契機として、その次の処理回における特図特電制御処理にて実行される処理に対応させて、１加算、１減算又は「０」クリア（初期化）される。したがって、各処理回における特図特電制御処理では、特図特電カウンタにセットされている数値情報に応じた処理を実行すればよいこととなる。
【０１２５】
ステップＳ２０４の処理を実行した後は、ステップＳ２０５にて、ステップＳ２０４において取得した開始アドレスの示す処理にジャンプする処理を実行する。具体的には、取得した開始アドレスがＳＡ０である場合にはステップＳ２０６の特図変動開始処理にジャンプする。
【０１２６】
特図変動開始処理では、保留情報が保留記憶されていることを条件に、その保留情報を保留格納エリア１６３ｂの実行エリアＡＥにシフトする処理を実行するとともに、各保留エリアＲＥ１〜ＲＥ４のデータを上位側（すなわち第１保留エリアＲＥ１側）にシフトする処理を実行する。その後、実行エリアＡＥにシフトされた保留情報について、大当たり当選に対応しているか否かを判定する当否判定処理、及び大当たり当選に対応している場合にはその保留情報がいずれの大当たり結果に対応しているのかを判定する振分判定処理を実行する。当否判定処理に際しては、保留情報において大当たり乱数カウンタＣ１から取得した数値情報が、大当たり当選に対応した数値情報であるか否かの判定を行う。また、振分判定処理に際しては、保留情報において大当たり種別カウンタＣ２から取得した数値情報が、いずれの大当たり結果の区分に対応しているか否かの判定を行う。
【０１２７】
当否判定処理及び振分判定処理だけでなく、その保留情報が大当たり当選に対応していない場合には、その保留情報がリーチ発生に対応しているか否かを判定するリーチ判定処理を実行するとともに、その時点における変動種別カウンタＣＳの数値情報を利用して遊技回の継続時間を選択する継続時間の選択処理を実行する。なお、リーチ判定処理に際しては、保留情報においてリーチ乱数カウンタＣ３から取得した数値情報が、リーチ発生の数値情報に対応しているか否かの判定を行う。
【０１２８】
継続時間の情報を選択した場合には、当該継続時間の情報を含む変動用コマンドと遊技結果の情報を含む種別コマンドとを音声ランプ制御装置９２に送信するとともに、第１特定ランプ部４３における絵柄の変動表示を開始させる。これにより、１遊技回が開始された状態となり、第１特定ランプ部４３及び図柄表示装置４１にて遊技回用の演出が開始される。
【０１２９】
ちなみに、このように遊技回用の演出を開始させた場合には、特図特電カウンタの数値情報を１加算することで、当該カウンタの数値情報を特図変動開始処理に対応したものから特図変動中処理に対応したものに更新する。
【０１３０】
取得した開始アドレスがＳＡ１である場合にはステップＳ２０７の特図変動中処理にジャンプする。特図変動中処理では、遊技回の継続時間中であって、確定表示前のタイミングであるか否かを判定する処理を実行し、確定表示前であれば第１特定ランプ部４３における絵柄の表示態様を規則的に変化させるための処理を実行する。
【０１３１】
ちなみに、確定表示させるタイミングとなるまで特図変動中処理にて待機するのではなく、確定表示させるタイミングではない場合には上記規則的に変化させるための処理を実行した後に、本特図変動中処理を終了する。したがって、遊技回用の演出が開始された後は、確定表示させるタイミングとなるまで、特図特電制御処理が起動される度に特図変動中処理が起動される。また、確定表示させるタイミングとなった場合には、特図特電カウンタの数値情報を１加算することで、当該カウンタの数値情報を特図変動中処理に対応したものから特図確定中処理に対応したものに更新する。
【０１３２】
取得した開始アドレスがＳＡ２である場合にはステップＳ２０８の特図確定中処理にジャンプする。特図確定中処理では、図柄表示装置４１にて今回の遊技回の停止結果を最終停止表示させるために、最終停止コマンドを音声ランプ制御装置９２に送信するとともに、第１特定ランプ部４３における絵柄の表示態様を今回の遊技回の抽選結果に対応した表示態様とする。また、特図確定中処理では、確定表示中の期間が経過したか否かを判定し、当該期間が経過している場合には開閉実行モードへの移行が発生するか否かの判定を行い、開閉実行モードへの移行が発生する場合には当該モード移行用の処理を実行する。
【０１３３】
ちなみに、確定表示中の期間が経過するまで特図確定中処理にて待機するのではなく、当該期間が経過していない場合には本特図確定中処理を終了する。したがって、確定表示が開始された後は、確定表示中の期間が経過するまで、特図特電制御処理が起動される度に特図確定中処理が起動される。また、確定表示中の期間が経過した場合には、開閉実行モードへの移行が発生しない状況では特図特電カウンタの数値情報を初期化（すなわち「０」クリア）し、開閉実行モードへの移行が発生する状況では特図特電カウンタの数値情報を１加算することで、当該カウンタの数値情報を特図確定中処理に対応したものから特電開始処理に対応したものに更新する。
【０１３４】
取得した開始アドレスがＳＡ３である場合にはステップＳ２０９の特電開始処理にジャンプする。特電開始処理では、開閉実行モードが開始されることを示すオープニングコマンドを音声ランプ制御装置９２に送信する。また、特電開始処理では、開閉実行モードのオープニング期間が経過したか否かを判定する。オープニング期間が経過していない場合には特電開始処理にて待機するのではなく本特電開始処理を終了する。したがって、開閉実行モードのオープニング演出が開始された後は、オープニング期間が経過するまで、特図特電制御処理が起動される度に特電開始処理が起動される。また、オープニング期間が経過した場合には、特図特電カウンタの数値情報を１加算することで、当該カウンタの数値情報を特電開始処理に対応したものから特電開放中処理に対応したものに更新する。
【０１３５】
取得した開始アドレスがＳＡ４である場合にはステップＳ２１０の特電開放中処理にジャンプする。特電開放中処理では、１のラウンド遊技を開始させるとともに、当該ラウンド遊技の終了条件が成立したか否かを判定する。終了条件が成立していない場合には特電開放中処理にて待機するのではなく、上記終了条件の成立を監視するための処理を実行した後に本特電開放中処理を終了する。上記終了条件が成立している場合には、特図特電カウンタの数値情報を１加算することで、当該カウンタの数値情報を特電開放中処理に対応したものから特電閉鎖中処理に対応したものに更新する。
【０１３６】
取得した開始アドレスがＳＡ５である場合にはステップＳ２１１の特電閉鎖中処理にジャンプする。特電閉鎖中処理では、１のラウンド遊技を終了させる処理を実行する。また、ラウンド遊技間のインターバル期間においては、インターバル期間が経過したか否かを判定する。インターバル期間が経過していない場合には特電閉鎖中処理にて待機するのではなく本特電閉鎖中処理を終了する。したがって、インターバル期間が開始された場合には当該期間が経過するまで、特図特電制御処理が起動される度に特電閉鎖中処理が起動される。また、インターバル期間が経過した場合には、特図特電カウンタの数値情報を１減算することで、当該カウンタの数値情報を特電閉鎖中処理に対応したものから特電開放中処理に対応したものに更新する。
【０１３７】
一方、最後のラウンド遊技に対する特電閉鎖中処理では１のラウンド遊技を終了させる処理を実行した後に、特図特電カウンタの数値情報を１加算することで、当該カウンタの数値情報を特電閉鎖中処理に対応したものから特電終了処理に対応したものに更新する。
【０１３８】
取得した開始アドレスがＳＡ６である場合にはステップＳ２１２の特電終了処理にジャンプする。特電終了処理では、開閉実行モードが終了されることを示すエンディングコマンドを音声ランプ制御装置９２に送信する。また、特電終了処理では、開閉実行モードのエンディング期間が経過したか否かを判定する。エンディング期間が経過していない場合には特電終了処理にて待機するのではなく本特電終了処理を終了する。したがって、開閉実行モードのエンディング演出が開始された後は、エンディング期間が経過するまで、特図特電制御処理が起動される度に特電終了処理が起動される。また、エンディング期間が経過した場合には、開閉実行モード後の遊技状態（当否抽選モード及びサポートモード）を設定するための処理を実行した後に、特図特電カウンタの数値情報を初期化することで、当該カウンタの数値情報を特電終了処理に対応したものから特図変動開始処理に対応したものに更新する。
【０１３９】
次に、貸出側ＭＰＵ２１１にて実行される貸出指示処理について、図１０のフローチャートを参照しながら説明する。
【０１４０】
ステップＳ３０１では、度数表示処理を実行する。度数表示処理では、貸出側ＲＡＭ２１３に記憶されている現金の残高に対応した情報が貸出操作装置７１の度数表示部７４に表示されるようにするための信号出力を行う。貸出側ＲＡＭ２１３には、カード口１９ａを通じて挿入された磁気カードからリーダライタ２１４により読み取られた残高の情報が書き込まれる。また、貸出側ＲＡＭ２１３に記憶された残高の情報は、遊技球の貸し出しが実行された場合に当該残高が減少するように更新される。
【０１４１】
続くステップＳ３０２では返却処理を実行する。返却処理では、貸出操作装置７１の返却ボタン７３が操作されたことを特定した場合に、貸出側ＲＡＭ２１３に記憶されている残高の情報をリーダライタ２１４により磁気カードに書き込む処理を実行するとともに、その書き込みが完了した磁気カードをカード口１９ａから排出させる処理を実行する。
【０１４２】
その後、ステップＳ３０３にて、払出側ＭＰＵ１８１から貸出許可信号を受信しているか否かを判定し、ステップＳ３０４にて、貸出操作装置７１の貸出ボタン７２が操作されているか否かを判定し、ステップＳ３０５にて、貸出側ＲＡＭ２１３に残高の情報が記憶されているか否かを判定する。
【０１４３】
ステップＳ３０３〜ステップＳ３０５のいずれかにて否定判定をした場合にはそのまま本貸出指示処理を終了する。一方、ステップＳ３０３〜ステップＳ３０５の全てで肯定判定をした場合には、ステップＳ３０６にて指示用処理を実行した後に、本貸出指示処理を終了する。
【０１４４】
図１１は、ステップＳ３０６の指示用処理を示すフローチャートである。
【０１４５】
ステップＳ４０１では、貸出要求信号の出力回数を把握する。当該貸出要求信号の出力回数の情報は貸出側ＲＯＭ２１２に予め記憶されており、具体的には５００円分の貸出指示を行うための情報として、貸出要求信号の出力回数は「５」に設定されている。この把握した出力回数の情報は、貸出側ＭＰＵ２１１の汎用レジスタに記憶される。
【０１４６】
続くステップＳ４０２では、貸出確認信号の出力を開始するとともに、貸出要求信号の出力を開始する。続くステップＳ４０３では、払出側ＭＰＵ１８１から貸出完了信号を受信したか否かを判定する。貸出完了信号を受信していない場合には、ステップＳ４０４にて、所定時間が経過したか否かを判定する。
【０１４７】
所定時間が経過していない場合には、ステップＳ４０３の処理に戻る。所定時間が経過している場合にはステップＳ４０８の処理を実行した後に、本指示用処理を終了する。ステップＳ４０８では、貸出確認信号の出力を停止する。また、ステップＳ４０８では、指示終了処理を実行する。指示終了処理では、貸出側ＭＰＵ２１１の汎用レジスタに記憶されている貸出要求信号の出力回数の情報を消去するとともに、貸出側ＲＡＭ２１３の貸出要求出力カウンタエリアを初期化する。
【０１４８】
なお、上記のようにステップＳ４０４において所定時間が経過していると判定される場合は、払出側ＭＰＵ１８１において貸出完了信号を出力できない状況が発生していることを意味するため、今回の貸出ボタン７２の操作を無効なものとして取り扱う。
【０１４９】
一方、貸出完了信号を受信している場合には、ステップＳ４０３にて肯定判定をし、ステップＳ４０５に進む。ステップＳ４０５では、貸出要求信号の出力を停止する。また、ステップＳ４０５では、貸出側ＲＡＭ２１３における貸出要求出力カウンタエリアの値を１加算する。
【０１５０】
続くステップＳ４０６では、払出側ＭＰＵ１８１からそれまで受信していた貸出完了信号を受信しなくなったか否かを判定する。貸出完了信号の受信が継続されている場合には、ステップＳ４０６の処理を繰り返す。貸出完了信号を受信していない場合には、ステップＳ４０７に進む。
【０１５１】
ちなみに、ステップＳ４０６において肯定判定をしたタイミングで、残高金額が減算されるように貸出側ＲＡＭ２１３に記憶されている残高の情報を更新する。具体的には、１００円分が減算されるように、当該残高の情報を更新する。
【０１５２】
ステップＳ４０７では、貸出要求出力カウンタエリアの値が貸出要求設定値か否かを判定する。具体的には、貸出要求出力カウンタエリアの値が貸出側ＭＰＵ２１１の汎用レジスタに記憶されている貸出要求信号の出力回数の情報に対応した値と一致しているか否かを判定する。一致していない場合には、ステップＳ４０２に戻り、当該ステップＳ４０２以降の処理を再度実行する。一致している場合には、ステップＳ４０８の処理を実行した後に、本指示用処理を終了する。
【０１５３】
次に、払出側ＭＰＵ１８１にて実行される貸出設定処理について、図１２のフローチャートを参照しながら説明する。なお、当該貸出設定処理は、払出側ＭＰＵ１８１において定期的（例えば４ｍｓｅｃ）に実行される。
【０１５４】
ステップＳ５０１では、払出側ＲＡＭ１８３に貸出状態フラグが格納されているか否かを判定する。貸出状態フラグとは、遊技球の貸し出しを行うための処理を実行している状態であることを、払出側ＭＰＵ１８１において特定するためのフラグである。
【０１５５】
貸出状態フラグが格納されていない場合には、ステップＳ５０２〜ステップＳ５０７の貸出動作設定用処理を実行し、貸出状態フラグが格納されている場合には、ステップＳ５０８〜ステップＳ５１７の貸出動作中処理を実行する。
【０１５６】
貸出動作設定用処理では、ステップＳ５０２にて貸出側ＭＰＵ２１１から貸出確認信号及び貸出要求信号を受信しているか否かを判定し、ステップＳ５０３にて払出エラー状態か否かを判定し、ステップＳ５０４にて払出動作中か否かを判定する。ステップＳ５０２にて肯定判定をし、ステップＳ５０３及びステップＳ５０４にて否定判定をした場合にはステップＳ５０５に進み、それ以外の場合は、そのまま本貸出設定処理を終了する。
【０１５７】
ステップＳ５０５では、貸出側ＭＰＵ２１１に向けて貸出完了信号の出力を開始する。続くステップＳ５０６では貸出数記憶エリアの加算処理を実行する。貸出数記憶エリアは払出側ＲＡＭ１８３に設けられており、当該貸出数記憶エリアには貸出要求信号の１回の受信に対応した貸出数の情報が加算される。例えば、貸出要求信号の１回の受信は１００円分に相当し、当該１回の受信に対して２５個の貸出数の情報が貸出数記憶エリアに加算される。払出側ＭＰＵ１８１は、当該貸出数記憶エリアに記憶されている情報に対応した数の遊技球が払い出されるように払出装置１１４を駆動制御する。また、貸出数記憶エリアに記憶されている情報は、払出装置１１４から遊技球が払い出される毎に、貸出数からその分が減算されるように更新される。続くステップＳ５０７では、払出側ＲＡＭ１８３に貸出状態フラグを格納する。その後、本貸出設定処理を終了する。
【０１５８】
ステップＳ５０８〜ステップＳ５１７の貸出動作中処理では、まずステップＳ５０８にて、払出側ＭＰＵ１８１自身が貸出完了信号の出力を継続しているか否かを判定する。貸出完了信号の出力を継続していない場合には、ステップＳ５０９及びステップＳ５１０の処理を実行することなくステップＳ５１１に進む。貸出完了信号の出力を継続している場合には、ステップＳ５０９に進む。
【０１５９】
ステップＳ５０９では、貸出数記憶エリアに記憶されている値が「０」か否か、すなわち貸出数記憶エリアに未払出の貸出数の情報が記憶されているか否かを判定する。貸出数記憶エリアに記憶されている値が「０」でない場合には、そのまま本貸出設定処理を終了する。貸出数記憶エリアに記憶されている値が「０」である場合には、ステップＳ５１０に進む。ステップＳ５１０では、貸出完了信号の出力を停止するとともに、払出側ＲＡＭ１８３に指示待ちフラグを格納する。
【０１６０】
続くステップＳ５１１では、払出側ＲＡＭ１８３に指示待ちフラグが格納されているか否かを判定する。指示待ちフラグが格納されていない場合には、ステップＳ５１２〜ステップＳ５１５の処理を実行することなくステップＳ５１６に進む。指示待ちフラグが格納されている場合には、ステップＳ５１２に進む。
【０１６１】
ステップＳ５１２では、貸出側ＭＰＵ２１１から貸出要求信号を受信しているか否かを判定する。貸出要求信号を受信していない場合には、ステップＳ５１３〜ステップＳ５１５の処理を実行することなくステップＳ５１６に進む。貸出要求信号を受信している場合には、ステップＳ５１３に進む。
【０１６２】
ステップＳ５１３では、貸出完了信号の出力を開始する。続くステップＳ５１４では、貸出数記憶エリアの加算処理を実行する。これらステップＳ５１３及びステップＳ５１４の処理は、ステップＳ５０５及びステップＳ５０６と同様である。続くステップＳ５１５では、払出側ＲＡＭ１８３の指示待ちフラグを消去する。
【０１６３】
続くステップＳ５１６では、貸出側ＭＰＵ２１１からそれまで入力していた貸出確認信号を受信しなくなったか否かを判定する。貸出確認信号の受信が継続されている場合には、そのまま本貸出設定処理を終了する。貸出確認信号を受信していない場合には、ステップＳ５１７にて、払出側ＲＡＭ１８３の貸出状態フラグを消去した後に、本貸出設定処理を終了する。
【０１６４】
＜遊技球の貸し出しを不正に行わせることを抑制するための構成＞
次に、遊技球の貸し出しを不正に行わせることを抑制するための構成について説明する。まず、図５及び図１３を参照しながら機械的な構成について説明する。図１３は、一部破断箇所を含む払出制御装置１３１の正面図、及び当該払出制御装置１３１と電気的に接続される対象を模式的に示す図である。
【０１６５】
既に説明したように、払出制御装置１３１は、払出装置１１４を駆動制御する払出制御基板１７１と、当該払出制御基板１７１と貸出指示装置１９との電気的な接続を中継する接続端子板１７２とが基板ボックス１３３に収容されて構成されている。
【０１６６】
基板ボックス１３３は、図１３に示すように、略直方体形状のボックスベース２２１とこのボックスベース２２１の開口部を覆うボックスカバー２２２とを備えている。ボックスベース２２１及びボックスカバー２２２は、基板ボックス１３３の外部から払出制御基板１７１及び接続端子板１７２を目視確認可能となるように、ポリカーボネートなどの合成樹脂を用いて透明に形成されている。
【０１６７】
ボックスベース２２１とボックスカバー２２２とは、両者が離間される方向への相対的な変位が規制されるようして、結合部２２３によって開放不能に結合されている。結合部２２３は、基板ボックス１３３の一方の短辺部に５つ設けられ、そのうち少なくとも一つが用いられて結合処理が行われる。
【０１６８】
結合部２２３はボックスベース２２１とボックスカバー２２２とを開放不能に結合する構成であれば任意の構成が適用できるが、結合部２２３を構成する長孔に係止爪を挿入することでボックスベース２２１とボックスカバー２２２とが開放不能に結合されるようになっている。結合部２２３による結合処理は、その結合後の不正な開放を防止し、また万一不正開放が行われても当該結合の解除に際して破壊を要することでその破壊箇所の存在によって事態を早期に且つ容易に発見可能とするものである。また、５つの結合部２２３のうち少なくとも一つの長孔に係止爪を挿入することにより結合処理が行われる。そして、収容した払出制御基板１７１又は接続端子板１７２の不具合発生の際や検査の際など基板ボックス１３３を開放する場合には、係止爪が挿入された結合部と他の結合部との連結部分を切断する。これにより、基板ボックス１３３のボックスベース２２１とボックスカバー２２２とが分離され、内部の払出制御基板１７１又は接続端子板１７２を取り出すことができる。その後、再度結合処理をする場合は他の結合部の長孔に係止爪を挿入する。
【０１６９】
このように基板ボックス１３３の開放に際しては部材の破壊を要する構成であることにより、払出制御基板１７１や接続端子板１７２に不正を施すべく基板ボックス１３３が不正に開放された場合にはその痕跡が残ることとなり、当該不正開放の発見の容易化が図られる。
【０１７０】
なお、当該不正開放の発見の容易化を図るための痕跡手段を設ける上では、ボックスベース２２１とボックスカバー２２２との境界を跨ぐようにして封印シールを貼り付ける構成を採用してもよく、ボックスベース２２１とボックスカバー２２２との境界に接着剤を塗布する構成を採用してもよい。
【０１７１】
払出制御基板１７１には払出側ＭＰＵ１８１を含めた各種素子が搭載されているとともに、複数の払出側コネクタ２３１〜２３５が搭載されている。これら各種素子及び各払出側コネクタ２３１〜２３５は払出制御基板１７１の一方の板面１７１ａに搭載されている。なお、当該板面１７１ａを以下、払出側搭載面１７１ａという。また、接続端子板１７２には複数の中継側コネクタ２４１，２４２が搭載されている。これら中継側コネクタ２４１，２４２は接続端子板１７２の一方の板面１７２ａに搭載されている。なお、当該板面１７２ａを以下、中継側搭載面１７２ａという。
【０１７２】
当該構成において、払出制御基板１７１及び接続端子板１７２は、払出側搭載面１７１ａ及び中継側搭載面１７２ａが同一の方向を向くようにして並設された状態で基板ボックス１３３に収容されているとともに、払出制御装置１３１はこれら搭載面１７１ａ，１７２ａがパチンコ機１０後方を向くようにして搭載されている。したがって、外枠１１に対して遊技機本体１２を前方に開放させて当該遊技機本体１２の背面を前方に露出させた場合には、払出制御装置１３１を搭載箇所から取り外すことなく、上記各搭載面１７１ａ，１７２ａの目視確認を行うことが可能となる。
【０１７３】
払出制御装置１３１は、図５に示すように、電源及び発射制御装置１３２にパチンコ機１０後方から重ねられた状態で当該電源及び発射制御装置１３２に対してネジ２２４により固定されている。当該ネジ２２４による固定箇所は、払出制御装置１３１の周縁部において複数個所（具体的には５箇所）に存在している。また、当該ネジ２２４は、その固定解除に際して部材の破壊を要さないものであり、さらには汎用的な工具（プラスドライバやマイナスドライバ）を利用して簡単に固定解除操作を行えるものとなっている。これにより、払出制御装置１３１を搭載箇所（具体的には電源及び発射制御装置１３２の表面）から取り外す場合の作業の容易化が図られる。したがって、払出制御基板１７１及び接続端子板１７２の上記搭載面１７１ａ，１７２ａとは逆側の面を目視確認する場合であっても、当該目視確認の容易化が図られる。
【０１７４】
既に説明したとおり、払出制御基板１７１と接続端子板１７２とは電気的に接続されているが、その接続箇所は全体が、図１３に示すように、基板ボックス１３３内に収容されている。当該接続箇所について詳細には、払出制御基板１７１において接続端子板１７２に近い側の辺部に対しては直接用払出側コネクタ２３１が設けられているとともに、接続端子板１７２において払出制御基板１７１に近い側の辺部に対しては直接用中継側コネクタ２４１が設けられている。
【０１７５】
直接用払出側コネクタ２３１及び直接用中継側コネクタ２４１は、一方が雄型であるのに対して他方が雌型となっており、雄型である直接用払出側コネクタ２３１が雌型である直接用中継側コネクタ２４１に差し込まれることで、両コネクタ２３１，２４１が接続されている。つまり、直接用払出側コネクタ２３１と直接用中継側コネクタ２４１との間には別部材となる配線ユニットは設けられておらず、両コネクタ２３１，２４１は直接的に接続されている。
【０１７６】
例えば、両コネクタ２３１，２４１間に配線ユニットが存在する構成の場合、当該配線ユニットを構成する配線の導線部分が樹脂などによって覆われていたとしても、コネクタ２３１，２４１側の端部において導線部分が僅かに露出することが想定され、この場合、当該導線部分は基板ボックス１３３内において露出することとなる。これに対して、上記のように両コネクタ２３１，２４１が直接的に接続されていることにより、払出制御基板１７１と接続端子板１７２との電気的な接続箇所は、基板ボックス１３３だけでなくコネクタ２３１，２４１のハウジングによっても覆われた状態となり、当該接続箇所への不正なアクセスを行いづらくすることが可能となる。
【０１７７】
払出制御基板１７１と接続端子板１７２との電気的な接続箇所は、直接用払出側コネクタ２３１と直接用中継側コネクタ２４１との接続箇所に集約されている。一方、払出制御基板１７１と接続端子板１７２との間では送電が行われるとともに、複数種類の信号が伝送される。したがって、直接用払出側コネクタ２３１及び直接用中継側コネクタ２４１の一方には複数の接続ピン（図示略）が設けられているとともに、他方には当該接続ピンと１対１で対応させて複数のピン受け部（図示略）が設けられている。このように接続箇所が１箇所に集約されていることにより、所定の信号等がいずれの経路に対応しているのか（例えば、いずれの接続ピンに対応しているのか）を認識しづらくなる。
【０１７８】
接続端子板１７２には、直接用中継側コネクタ２４１の他に、外部用中継側コネクタ２４２が１個設けられている。外部用中継側コネクタ２４２は、払出制御装置１３１において貸出指示装置１９に近い側の辺寄りに存在するように接続端子板１７２に搭載されている。外部用中継側コネクタ２４２は、ボックスカバー２２２に設けられた開口部２２２ａを通じて基板ボックス１３３の外部に露出されており、貸出側接続ユニット２５１の一端に設けられたコネクタが接続されている。貸出側接続ユニット２５１の他端に設けられたコネクタは、貸出指示装置１９に設けられたコネクタ１９ｂに接続されている。接続端子板１７２と貸出指示装置１９との電気的な接続箇所は、これらコネクタ２４２，１９ｂ及び貸出側接続ユニット２５１に集約されている。このように接続箇所が１箇所に集約されていることにより、所定の信号等がいずれの経路に対応しているのか（例えば、いずれの配線に対応しているのか）を認識しづらくなる。
【０１７９】
なお、貸出側接続ユニット２５１とは、複数の配線の一端が一のコネクタに集約して接続されているとともに、他端が他の一のコネクタに集約して接続されたものである。これは、他の接続ユニットについても同様である。
【０１８０】
接続端子板１７２には、銅などによって回路パターンが形成されており、貸出側接続ユニット２５１から通じる複数の経路が回路パターンによって個別に直接用中継側コネクタ２４１と電気的に接続されている。そして、直接用払出側コネクタ２３１と直接用中継側コネクタ２４１との電気的な接続を行うための接続ピンは、貸出側接続ユニット２５１から通じる複数の経路と１対１で対応している。
【０１８１】
接続端子板１７２に形成された回路パターンにおいて、通信用の経路を生じさせる各回路パターンには、各経路における信号の伝送方向が各経路に応じた一方向となるように方向規制手段が設けられている。具体的には、通信用の経路を生じさせる各回路パターンのそれぞれには、フォトカプラが設けられている。これにより、各通信用の各経路において信号の伝送方向が一方向に定められることとなる。
【０１８２】
払出制御基板１７１には、銅などによって回路パターンが形成されており、直接用払出側コネクタ２３１から通じる複数の経路が回路パターンによって個別に、払出側ＭＰＵ１８１又は払出側コネクタ２３４，２３５と電気的に接続されている。つまり、接続端子板１７２により中継されながら貸出指示装置１９から続く複数の経路は、一部は払出側ＭＰＵ１８１と接続され、一部は払出側ＭＰＵ１８１を介することなく払出制御装置１３１外の装置と接続されている。
【０１８３】
なお、払出制御基板１７１において回路パターンは樹脂により被覆されており、回路パターンに対して外部から不正に導通させようとしてもそれが不可となっている。これは接続端子板１７２の回路パターンについても同様である。
【０１８４】
払出制御基板１７１には、払出制御装置１３１外の装置と電気的な接続を行うための払出側コネクタ２３２〜２３５が設けられている。これら払出側コネクタ２３２〜２３５は、払出制御基板１７１において直接用払出側コネクタ２３１が設けられた辺部とは異なる辺部に沿って集約させて設けられている。各払出側コネクタ２３２〜２３５は、ボックスカバー２２２に設けられた開口部２２２ｂ〜２２２ｅを通じて基板ボックス１３３の外部に露出されている。
【０１８５】
各払出側コネクタ２３２〜２３５は、主制御装置９１と電気的な接続を行うための主制御用コネクタ２３２と、払出装置１１４と電気的な接続を行うための払出装置用コネクタ２３３と、電源及び発射制御装置１３２と電気的な接続を行うための電源用コネクタ２３４と、貸出操作装置７１と電気的な接続を行うための貸出操作用コネクタ２３５とを備えている。これら各払出側コネクタ２３２〜２３５にはそれぞれ、接続ユニット２５２〜２５５の一端に設けられたコネクタが接続されている。また、これら接続ユニット２５２〜２５５の他端に設けられた各コネクタは、対象となる装置に設けられたコネクタ９１ａ，１１４ａ，１３２ａ，７１ａに接続されている。詳細には、主制御用コネクタ２３２に接続された主制御側接続ユニット２５２は主制御装置９１に設けられたコネクタ９１ａに接続されており、払出装置用コネクタ２３３に接続された払出装置側接続ユニット２５３は払出装置１１４に設けられたコネクタ１１４ａに接続されており、電源用コネクタ２３４に接続された電源側接続ユニット２５４は電源及び発射制御装置１３２に設けられたコネクタ１３２ａに接続されており、貸出操作用コネクタ２３５に接続された貸出操作側接続ユニット２５５は貸出操作装置７１に設けられたコネクタ７１ａに接続されている。
【０１８６】
次に、図１４を参照しながら、遊技球の貸し出しを行うための電気的な構成について説明する。図１４は遊技球の貸し出しを行うための電気的な接続を示すブロック図である。
【０１８７】
貸出指示装置１９と払出制御基板１７１との間には、送電用及び通信用として複数の経路が設けられている。これら複数の経路は、貸出指示装置１９に設けられたコネクタ１９ｂと外部用中継側コネクタ２４２とを接続するように設けられた貸出側接続ユニット２５１の各配線を利用して形成されているとともに、直接用中継側コネクタ２４１及び直接用払出側コネクタ２３１を利用して形成されている。
【０１８８】
複数の経路について具体的には、交流２４ボルト電源を送電するための経路と、初期設定完了信号を伝送するための経路と、貸出確認信号を伝送するための経路と、貸出要求信号を伝送するための経路と、接続確認信号を伝送するための経路と、貸出可能信号を伝送するための経路と、貸出完了信号を伝送するための経路と、貸出操作信号を伝送するための経路と、返却操作信号を伝送するための経路と、第１度数表示信号を伝送するための経路と、第２度数表示信号を伝送するための経路と、第３度数表示信号を伝送するための経路と、第４度数表示信号を伝送するための経路と、第５度数表示信号を伝送するための経路とが設けられている。
【０１８９】
交流２４ボルト電源を送電するための経路は、貸出指示装置１９と払出制御基板１７１との間の経路だけでなく、さらに払出制御基板１７１の直接用払出側コネクタ２３１と電源用コネクタ２３４とを接続するように設けられた回路パターン２６１と、電源用コネクタ２３４と電源及び発射制御装置１３２のコネクタ１３２ａとを接続するように設けられた電源側接続ユニット２５４の配線とを利用して形成されている。当該経路を利用して、電源及び発射制御装置１３２から貸出指示装置１９の電源部２１５に交流２４ボルト電源が供給される。つまり、貸出指示装置１９にて利用される交流２４ボルト電源は、電源及び発射制御装置１３２から貸出指示装置１９に直接供給されるのではなく、払出制御基板１７１及び接続端子板１７２を介して供給される。
【０１９０】
なお、電源及び発射制御装置１３２から払出制御基板１７１には、払出側ＭＰＵ１８１にて利用されるロジック用の直流５ボルトが供給されるが、当該送電を行うための配線は電源側接続ユニット２５４に含まれている。
【０１９１】
初期設定完了信号は、貸出側ＭＰＵ２１１において初期設定が正常に完了していることを払出側ＭＰＵ１８１に認識させるために貸出側ＭＰＵ２１１から出力される信号である。初期設定完了信号は、貸出側ＭＰＵ２１１への動作電力の供給開始後において初期設定が正常に完了した場合に出力が開始され、動作電力が供給されている間はその出力が維持される。払出側ＭＰＵ１８１は、初期設定完了信号を受信していることを条件として、遊技球の貸出を許可する。
【０１９２】
貸出確認信号は、貸出側ＭＰＵ２１１から貸出要求信号を出力しようとしていること又は出力中であることを払出側ＭＰＵ１８１に認識させるために貸出側ＭＰＵ２１１から出力される信号である。貸出確認信号は、貸出要求信号の出力を開始する場合に出力が開始され、１群の貸出要求信号の出力が終了した場合に出力が停止される。
【０１９３】
貸出要求信号は、払出側ＭＰＵ１８１に対して球貸実行要求を示すために貸出側ＭＰＵ２１１から出力される信号である。
【０１９４】
接続確認信号は、パチンコ機１０の接続状態を貸出側ＭＰＵ２１１に確認させるために払出側ＭＰＵ１８１から出力される信号である。接続確認信号は、貸出側ＭＰＵ２１１から初期設定完了信号を受信している間は出力が維持される。貸出側ＭＰＵ２１１は、接続確認信号を受信していることを条件として、遊技球の貸出を指示するための制御を実行する。
【０１９５】
貸出可能信号は、払出側ＭＰＵ１８１において貸出要求信号を受け入れ可能な状態であることを貸出側ＭＰＵ２１１において認識させるために払出側ＭＰＵ１８１から出力される信号である。貸出可能信号は、払出側ＭＰＵ１８１への動作電力の供給が開始された場合に出力が開始され、払出側ＭＰＵ１８１において貸出要求信号を受け入れ可能な状態ではその出力が維持される。また、前扉枠１４が開放された場合や、払出装置１１４に故障が発生した場合などといった遊技球の払出を正常に行えない状況が発生している場合には、貸出可能信号の出力が停止される。貸出側ＭＰＵ２１１は、貸出可能信号を受信していることを条件として、遊技球の貸出を指示するための制御を実行する。
【０１９６】
貸出完了信号は、貸出側ＭＰＵ２１１から貸出要求信号を入力したことを貸出側ＭＰＵ２１１に示すとともに、貸出要求信号による貸出指示に対する遊技球の払出が完了したことを貸出側ＭＰＵ２１１に示すために払出側ＭＰＵ１８１から出力される信号である。
【０１９７】
初期設定完了信号、貸出確認信号及び貸出要求信号は、それぞれ対応する上記経路を通じて貸出側ＭＰＵ２１１から払出側ＭＰＵ１８１に向けて伝送され、払出側ＭＰＵ１８１に入力される。接続確認信号、貸出可能信号及び貸出完了信号は、それぞれ対応する上記経路を通じて払出側ＭＰＵ１８１から貸出側ＭＰＵ２１１に向けて伝送され、貸出側ＭＰＵ２１１に入力される。
【０１９８】
貸出操作信号は、貸出操作装置７１の貸出ボタン７２が操作されたか否かを貸出側ＭＰＵ２１１に認識させるために貸出操作装置７１から出力される信号である。返却操作信号は、貸出操作装置７１の返却ボタン７３が操作されたか否かを貸出側ＭＰＵ２１１に認識させるために貸出操作装置７１から出力される信号である。第１〜第５度数表示信号は、貸出操作装置７１の度数表示部７４に対して表示制御を実行するために貸出側ＭＰＵ２１１から出力される信号である。
【０１９９】
貸出操作信号を伝送するための経路と、返却操作信号を伝送するための経路と、第１度数表示信号を伝送するための経路と、第２度数表示信号を伝送するための経路と、第３度数表示信号を伝送するための経路と、第４度数表示信号を伝送するための経路と、第５度数表示信号を伝送するための経路とは、貸出指示装置１９と払出制御基板１７１との間の経路だけでなく、さらに払出制御基板１７１の直接用払出側コネクタ２３１と貸出操作用コネクタ２３５とを接続するように設けられた各回路パターン２６２と、貸出操作用コネクタ２３５と貸出操作装置７１のコネクタ７１ａとを接続するように設けられた貸出操作側接続ユニット２５５の各配線とを利用して形成されている。当該経路を利用して、貸出操作装置７１から貸出側ＭＰＵ２１１に貸出操作信号及び返却操作信号が伝送され、貸出側ＭＰＵ２１１から度数表示部７４に第１〜第５度数表示信号が伝送される。
【０２００】
つまり、貸出操作信号及び返却操作信号は、貸出操作装置７１から接続端子板１７２のみを介して貸出指示装置１９に供給されるのではなく、払出制御基板１７１及び接続端子板１７２を介して供給され、第１〜第５度数表示信号は、貸出指示装置１９から接続端子板１７２のみを介して貸出操作装置７１に供給されるのではなく、払出制御基板１７１及び接続端子板１７２を介して供給される。
【０２０１】
貸出操作信号、返却操作信号及び第１〜第５度数表示信号は、払出制御基板１７１を介して伝送されるが、払出側ＭＰＵ１８１に入力されることはなく、そのまま貸出指示装置１９又は貸出操作装置７１に向けて伝送される。したがって、貸出操作信号、返却操作信号及び第１〜第５度数表示信号については、払出制御基板１７１及び接続端子板１７２の両方が中継基板として機能することとなる。これは貸出指示装置１９に供給される交流２４ボルト電源についても同様である。
【０２０２】
貸出指示装置１９と払出制御基板１７１との間に複数の経路が設けられた構成において、当該複数の経路のうち貸出指示装置１９と払出側ＭＰＵ１８１との間の通信に用いられる経路の数は６個であるのに対して、当該通信以外に用いられる経路の数は８個である。つまり、貸出側接続ユニット２５１の各配線を利用して形成される複数の経路のうち、貸出指示装置１９と払出側ＭＰＵ１８１との間の通信に用いられる経路の数は、当該通信以外に用いられる経路の数以上となっている。
【０２０３】
以上詳述した本実施形態によれば、以下の優れた効果を奏する。
【０２０４】
払出制御基板１７１に貸出操作用コネクタ２３５が設けられ、払出制御基板１７１と貸出操作装置７１とが貸出操作側接続ユニット２５５により接続されていることにより、貸出側ＭＰＵ２１１と貸出操作装置７１との間で通信を行うための経路に払出制御基板１７１が介在している。そして、貸出指示装置１９と払出制御装置１３１とを電気的に接続する貸出側接続ユニット２５１には、遊技球の貸し出し制御を行うために貸出側ＭＰＵ２１１と払出側ＭＰＵ１８１との間で通信を行うための配線とともに、貸出側ＭＰＵ２１１と貸出操作装置７１との間で通信を行うための配線が含まれている。これにより、貸出指示装置１９のコネクタ１９ｂ、接続端子板１７２の外部用中継側コネクタ２４２、及び貸出側接続ユニット２５１のいずれかにおいて、貸出側ＭＰＵ２１１と払出側ＭＰＵ１８１との間で通信を行うための経路に対して不正な信号を出力して遊技球の貸し出しを不正に行わせようとしても、当該通信を行うための経路を特定することが困難となる。よって、遊技球の貸し出しを不正に行わせる行為を行いづらくさせることが可能となる。
【０２０５】
また、貸出指示装置１９にて必要な交流２４ボルト電源を送電するための経路を生じさせる配線も、貸出指示装置１９と払出制御装置１３１とを電気的に接続する貸出側接続ユニット２５１に含まれている。当該構成によっても、貸出側ＭＰＵ２１１と払出側ＭＰＵ１８１との間で通信を行うための経路を特定することが困難となり、遊技球の貸し出しを不正に行わせる行為を行いづらくさせることが可能となる。
【０２０６】
また、遊技球の貸し出し制御を行うために貸出側ＭＰＵ２１１と払出側ＭＰＵ１８１との間で通信を行うための配線は、貸出操作装置７１の度数表示部７４を表示制御するための配線と集約されている。これにより、前者の配線に不正な信号を出力しようとした場合には、後者の配線に非正規の信号が出力されることが考えられ、この場合、度数表示部７４の表示内容がその信号出力に応じて変更される。そうすると、当該不正行為が行われたことを度数表示部７４の表示内容から容易に把握することが可能となる。
【０２０７】
また、貸出側接続ユニット２５１の各配線を利用して形成される複数の経路のうち、貸出指示装置１９と払出側ＭＰＵ１８１との間の通信に用いられる経路の数は、当該通信以外に用いられる経路の数以下となっている。この点からも、貸出指示装置１９のコネクタ１９ｂ、接続端子板１７２の外部用中継側コネクタ２４２、及び貸出側接続ユニット２５１のいずれかにおいて、貸出側ＭＰＵ２１１と払出側ＭＰＵ１８１との間で通信を行うための経路に対して不正な信号を出力して遊技球の貸し出しを不正に行わせようとしても、当該通信を行うための経路を特定することが困難となり、遊技球の貸し出しを不正に行わせる行為を行いづらくさせることが可能となる。
【０２０８】
また、払出制御基板１７１とは別に接続端子板１７２が設けられており、払出制御基板１７１と貸出指示装置１９との間の送電用の経路及び通信用の経路には接続端子板１７２が介在している。これにより、払出制御基板１７１の仕様を機種変更等に伴って変更する場合であっても、接続端子板１７２については既存の機種のものをそのまま利用することが可能となる。この場合に、接続端子板１７２が払出制御基板１７１の基板ボックス１３３に収容されており、払出制御基板１７１と接続端子板１７２との接続箇所は当該基板ボックス１３３内に収容されている。これにより、当該接続箇所に不正にアクセスしようとしてもそれが行いづらくなる。
【０２０９】
また、払出制御基板１７１の直接用払出側コネクタ２３１と接続端子板１７２の直接用中継側コネクタ２４１とは別部材となる配線ユニットを介在させることなく直接的に接続されている。これにより、払出制御基板１７１と接続端子板１７２との電気的な接続箇所は、基板ボックス１３３だけでなくコネクタ２３１，２４１のハウジングによっても覆われた状態となり、当該接続箇所への不正なアクセスを行いづらくすることが可能となる。
【０２１０】
＜第２の実施形態＞
本実施形態では上記第１の実施形態における払出制御装置１３１に代えて、基板装置ユニット２７１が設けられている。当該基板装置ユニット２７１について、図１５を参照しながら説明する。図１５（ａ）は基板装置ユニット２７１の正面図であり、図１５（ｂ）は基板装置ユニット２７１の一部を拡大して示す断面図である。
【０２１１】
図１５（ａ）に示すように、基板装置ユニット２７１は、払出制御基板１７１が基板ボックス２７３に収容されてなる払出制御装置２７２と、接続端子板１７２が基板ボックス２７５に収容されてなる接続板装置２７４とを備えている。つまり、上記第１の実施形態では払出制御基板１７１と接続端子板１７２とが一の基板ボックス１３３に収容されていたが、本実施形態では別々の基板ボックス２７３，２７５に収容されている。
【０２１２】
なお、払出制御基板１７１及び接続端子板１７２の構成は上記第１の実施形態と同様である。つまり、払出制御基板１７１には直接用払出側コネクタ２３１、主制御用コネクタ２３２、払出装置用コネクタ２３３、電源用コネクタ２３４及び貸出操作用コネクタ２３５が設けられており、接続端子板１７２には直接用中継側コネクタ２４１及び外部用中継側コネクタ２４２が設けられている。また、各接続ユニット２５１〜２５５及び回路パターン２６１，２６２を利用して送電用の経路及び通信用の経路が設けられている。
【０２１３】
払出制御装置２７２の基板ボックス２７３は複数のケース体を結合することにより形成されており、これらケース体は結合部２７６により結合されていることで分離が阻止されている。この場合に、当該結合部２７６は、上記第１の実施形態の結合部２２３と同様に、結合解除に際して部材の破壊を要し、結合解除の痕跡が残る構成となっている。これに対して、接続板装置２７４の基板ボックス２７５は複数のケース体の結合解除に際して部材の破壊を要さない。これにより、払出制御装置２７２については不正な開放を抑制しながら、接続板装置２７４については開放作業の容易化が図られている。
【０２１４】
払出制御装置２７２と接続板装置２７４とは、直接用払出側コネクタ２３１と直接用中継側コネクタ２４１とが上記第１の実施形態と同様に別部材の接続ユニットを介することなく直接的に接続されていることにより、一体化されている。具体的には、図１５（ｂ）に示すように、払出制御装置２７２の基板ボックス２７３は払出制御基板１７１において直接用払出側コネクタ２３１が設けられた側の端部が側方に向けて開放されており、払出制御装置２７２単体で見た場合、直接用払出側コネクタ２３１は基板ボックス２７３外に露出している。同様に、接続板装置２７４の基板ボックス２７５は接続端子板１７２において直接用中継側コネクタ２４１が設けられた側の端部が側方に向けて開放されており、接続板装置２７４単体で見た場合、直接用中継側コネクタ２４１は基板ボックス２７５外に露出している。
【０２１５】
この場合に、払出制御装置２７２の基板ボックス２７３において直接用払出側コネクタ２３１を露出させるために形成された払出側開口部２７７の周縁部は周囲に比べて狭められた狭小化領域２７８とされており、接続板装置２７４の基板ボックス２７５において直接用中継側コネクタ２４１を露出させるために形成された中継側開口部２７９内に入り込んだ状態となっている。したがって、払出制御装置２７２と接続板装置２７４との繋ぎ目箇所においては、各基板ボックス２７３，２７５の壁部が内外に重なり合う領域が生じている。そして、この重なり領域は、両者の繋ぎ目の全周に亘って生じている。これにより、直接用払出側コネクタ２３１と直接用中継側コネクタ２４１との接続箇所が、払出制御装置２７２の基板ボックス２７３及び接続板装置２７４の基板ボックス２７５により形成される空間内に収容された状態となっている。また、各基板ボックス２７３，２７５の壁部が内外に重なり合っているため、繋ぎ目箇所を利用して不正用冶具を基板ボックス２７３，２７５の内側に挿入しようとしても、それが行いづらくなっている。
【０２１６】
上記重なり領域においては、接続板装置２７４の基板ボックス２７５の壁部が外側に配置されている。したがって、両基板ボックス２７３，２７５の重なりを解消するためには、接続端子板２７４から遠ざかる方向である特定方向に払出制御装置２７２をスライド移動させる必要がある。また、払出制御装置２７２の基板ボックス２７３を開放させるためには、当該基板ボックス２７３を構成する一のケース体を他のケース体に対して上記特定方向に交差する方向に移動させる必要がある。これにより、払出制御装置２７２の基板ボックス２７３を開放させるためには、まず接続板装置２７４を払出制御装置２７２から分離させる必要がある。その一方、接続板装置２７４の基板ボックス２７５は、当該接続板装置２７４が払出制御装置２７２に対して初期位置に配置されている状態において開放操作を行うことが可能である。上記構成であることにより、接続端子板１７２のメンテナンスの容易化を図りながら、払出制御基板１７１に対する不正を行いづらくすることが可能となる。
【０２１７】
払出制御装置２７２と接続板装置２７４とは直接用払出側コネクタ２３１と直接用中継側コネクタ２４１とを接続することにより一体化されて基板装置ユニット２７１とされ、この状態でこれら払出制御装置２７２及び接続板装置２７４は搭載箇所に搭載されている。この場合に、払出制御装置２７２と接続板装置２７４とで搭載箇所への固定方法が異なっている。具体的には、払出制御装置２７２はワンウェイネジや破断ネジといったように固定解除に際して部材の破壊を要する固定具２８１を利用して固定されている。一方、接続板装置２７４は、固定解除に際して部材の破壊を要さないものであって、汎用的な工具（プラスドライバやマイナスドライバ）を利用して簡単に固定解除を行える固定具２８２を利用して固定されている。また、接続板装置２７４は、固定具２８２の固定解除を行うことで、直接用払出側コネクタ２３１と直接用中継側コネクタ２４１との接続を解除する方向に移動可能となる。そして、接続板装置２７４を当該方向に移動させて両コネクタ２３１，２４１の接続を解除することで、接続板装置２７４を搭載箇所から取り外すことが可能となる。これにより、接続端子板１７２のメンテナンスの容易化を図りながら、払出制御基板１７１に対する不正を行いづらくすることが可能となる。
【０２１８】
以上詳述した本実施形態によれば、上記第１の実施形態と同様に遊技球の貸し出しを不正に行わせる行為を行いづらくさせることを可能としながら、払出制御基板１７１と接続端子板１７２とが別々の基板ボックス２７３，２７５に収容されているためメンテナンスの容易化が図られる。
【０２１９】
また、このように払出制御基板１７１と接続端子板１７２とが別々の基板ボックス２７３，２７５に収容された構成であっても、払出制御基板１７１と接続端子板１７２との電気的な接続箇所は、これら基板ボックス２７３，２７５により区画形成される空間内に収容されており、基板装置ユニット２７１の外部に露出していない。これにより、当該接続箇所への不正なアクセスを行いづらくすることが可能となる。
【０２２０】
なお、払出制御装置２７２の固定が、固定解除に際して部材の破壊を要さないものであって、汎用的な工具（プラスドライバやマイナスドライバ）を利用して簡単に固定解除を行える固定具を利用して行われている構成としてもよい。この場合であっても、払出制御装置２７２の基板ボックス２７３を開放させるためには、払出制御装置２７２から接続板装置２７４を分離させる必要があるため、払出制御装置２７２に対する不正を行いづらくすることが可能となる。
【０２２１】
また、払出制御装置２７２の基板ボックス２７３を構成する壁部と接続板装置２７４の基板ボックス２７５を構成する壁部とが、払出側開口部２７７及び中継側開口部２７９において前者の基板ボックス２７３の壁部が内側となるようにして内外に重なり合う構成としたが、後者の基板ボックス２７５の壁部が内側となるようにして内外に重なり合う構成としてもよい。
【０２２２】
＜他の実施形態＞
なお、上述した実施形態の記載内容に限定されず、本発明の趣旨を逸脱しない範囲内で種々の変形改良が可能である。例えば以下のように変更してもよい。ちなみに、以下の別形態の構成を、上記実施形態の構成に対して、個別に適用してもよく、組み合わせて適用してもよい。
【０２２３】
（１）外部用中継側コネクタ２４２を払出制御基板１７１に設けることで、接続端子板１７２を不具備としてもよい。この場合、上記各実施形態のように機種変更などに際して払出制御基板１７１を変更する場合には、外部用中継側コネクタ２４２及び方向規制手段（例えばフォトカプラ）も一体的に変更されることとなるものの、電気的な接続箇所の数を減少させることが可能となる。
【０２２４】
当該構成において、貸出指示装置１９と貸出操作装置７１とを接続する経路（以下、特定経路ともいう）に払出制御基板１７１を介在させ、貸出指示装置１９と払出制御基板１７１との間において、遊技球の貸出用の信号が伝送される配線と上記特定経路を生じさせる配線とが同一の接続手段に集約される構成を適用してもよい。これにより、遊技球の貸し出しを不正に行わせようとする行為を行いづらくさせることが可能となる。
【０２２５】
（２）払出制御基板１７１と接続端子板１７２との電気的な接続箇所が基板ボックス内に収容されていない構成としてもよい。この場合であっても、貸出指示装置１９と貸出操作装置７１とを接続する経路（以下、特定経路ともいう）に払出制御基板１７１を介在させ、貸出指示装置１９と払出制御基板１７１との間において、遊技球の貸出用の信号が伝送される配線と上記特定経路を生じさせる配線とが同一の接続手段に集約される構成を適用することで、遊技球の貸し出しを不正に行わせようとする行為を行いづらくすることが可能となる。
【０２２６】
（３）払出制御基板１７１の直接用払出側コネクタ２３１と接続端子板１７２の直接用中継側コネクタ２４１とが直接的に接続されているのではなく、接続ユニットを介して接続されている構成としてもよい。この場合に、払出制御基板１７１と接続端子板１７２とを別々の基板ボックスに収容し、前者の装置と後者の装置とを離間させて配置してもよい。これにより払出制御基板１７１及び接続端子板１７２の配置箇所について自由度が高められる。この場合であっても、貸出指示装置１９と貸出操作装置７１とを接続する経路（以下、特定経路ともいう）に払出制御基板１７１を介在させ、貸出指示装置１９と払出制御基板１７１との間において、遊技球の貸出用の信号が伝送される経路を生じさせる配線と上記特定経路を生じさせる配線とが同一の接続手段に集約される構成を適用することで、遊技球の貸し出しを不正に行わせようとする行為を行いづらくすることが可能となる。
【０２２７】
（４）上記各実施形態において、貸出指示装置１９と払出側ＭＰＵ１８１との間において貸出用の信号が伝送される経路を生じさせる配線と、貸出指示装置１９と貸出操作装置７１との間において貸出操作用の信号が伝送される経路を生じさせる配線と、電源及び発射制御装置１３２と貸出指示装置１９との間において送電用の経路を生じさせる配線とが、貸出側接続ユニット２５１に集約されている構成としたが、これら３種類の配線のうち一部の種類が集約されていない構成としてもよく、それぞれの種類が個別に接続ユニットとして設けられている構成としてもよい。当該構成であっても、上記第１の実施形態のように払出制御基板１７１と接続端子板１７２とを一の基板ボックスに収容する、又は上記第２の実施形態のように払出制御基板１７１と接続端子板１７２との接続箇所が覆われるようにすることで、遊技球の貸し出しを不正に行わせようとする行為を行いづらくすることが可能となる。
【０２２８】
（５）貸出指示装置１９と貸出操作装置７１とを接続する経路に払出制御基板１７１が介在しない構成とし、さらに電源及び発射制御装置１３２から貸出指示装置１９への送電用の経路に払出制御基板１７１が介在しない構成としてもよい。この場合、接続端子板１７２には、貸出指示装置１９と電気的な接続を行うための一のコネクタと、払出制御基板１７１と電気的な接続を行うためのコネクタと、貸出操作装置７１と電気的な接続を行うためのコネクタと、電源及び発射制御装置１３２と電気的な接続を行うためのコネクタとがそれぞれ個別に存在することとなる。当該構成であっても、上記第１の実施形態のように払出制御基板１７１と接続端子板１７２とを一の基板ボックスに収容する、又は上記第２の実施形態のように払出制御基板１７１と接続端子板１７２との接続箇所が覆われるようにすることで、遊技球の貸し出しを不正に行わせようとする行為を行いづらくさせることが可能となる。
【０２２９】
（６）第１の装置と第２の装置とを電気的に接続するための経路の配線と、第１の装置と第３の装置とを電気的に接続するための経路の配線とを、後者の経路に第２の装置を介在させることで集約させる構成を、上記各実施形態において対象とした不正行為とは異なる不正行為を抑制するために適用してもよい。例えば、払出制御基板１７１と払出装置１１４との間の通信用の経路に主制御基板１５１を介在させ、当該経路の配線と、主側ＭＰＵ１６１及び払出側ＭＰＵ１８１間の通信用の経路を生じさせる配線とを集約することで、主側ＭＰＵ１６１及び払出側ＭＰＵ１８１間の通信用の経路に対する不正が行いづらくなるようにしてもよい。また、当該不正を行いづらくするために、上記第２の実施形態のように接続箇所を覆う構成を適用してもよい。
【０２３０】
（７）上記各実施形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０２３１】
また、弾球式でない遊技機、例えば、複数種の図柄が周方向に付された複数のリールを備え、メダルの投入及びスタートレバーの操作によりリールの回転を開始し、ストップボタンが操作されることでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【０２３２】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【０２３３】
＜上記各実施形態から抽出される発明群について＞
以下、上述した各実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。
【０２３４】
＜特徴Ａ群＞
特徴Ａ１．特定装置（貸出指示装置１９）及び第１装置（払出制御基板１７１）間において送電するために又は通信するために用いられる第１経路（初期設定完了信号の経路、貸出確認信号の経路、貸出要求信号の経路、接続確認信号の経路、貸出可能信号の経路、貸出完了信号の経路）と、
前記特定装置及び第２装置（貸出操作装置７１）間において送電するために又は通信するために用いられる第２経路（貸出操作信号の経路、返却操作信号の経路、第１〜第５度数表示信号の経路）と、
を備え、
前記第１経路を通じて送電又は通信が行われることにより第１制御（払出側ＭＰＵ１８１における貸出設定処理の実行に基づく制御）が実行され、前記第２経路を通じて送電又は通信が行われることにより第２制御（貸出側ＭＰＵ２１１における貸出指示処理の実行に基づく制御）が実行される構成であり、
前記第２経路は、少なくとも前記第１装置にて中継される構成であり、
前記第１経路における前記第１装置への接続部と、前記第２経路における前記特定装置及び前記第１装置間の経路であって当該経路の前記第１装置への接続部とが、同一の第１接続手段（直接用中継側コネクタ２４１）に集約された状態で、前記第１装置に接続されていることを特徴とする遊技機。
【０２３５】
特徴Ａ１によれば、第１経路に対して不正を施すべく、第１装置の接続箇所に不正を施そうとしても、第１装置に対する第１経路の接続部と第２経路の接続部とが第１接続手段に集約されているため、第１経路に対応した接続部を特定しづらくなる。よって、当該不正を行いづらくさせることが可能となる。
【０２３６】
特徴Ａ２．前記特定装置及び前記第１装置間においては、前記第１経路を生じさせる経路と前記第２経路を生じさせる経路とはユニット化されていることを特徴とする特徴Ａ１に記載の遊技機。
【０２３７】
特徴Ａ２によれば、特定装置及び第１装置間において第１経路に対して不正を施そうとしても、これら特定装置及び第１装置間では第１経路及び第２経路がユニット化されているため、第１経路を特定しづらくなる。よって、当該不正を行いづらくさせることが可能となる。
【０２３８】
特徴Ａ３．前記第１装置は、遊技価値を付与するための制御を実行する制御基板であり、
前記第１経路を通じて通信が行われることにより、前記制御基板にて前記遊技価値を付与するための制御として前記第１制御が実行される構成であることを特徴とする特徴Ａ１又はＡ２に記載の遊技機。
【０２３９】
特徴Ａ３の構成において上記特徴Ａ１の構成を備えていることにより、第１経路に対して不正を施して、遊技価値を付与するための制御を制御基板に不正に行わせようとする行為を、行いづらくさせることが可能となる。
【０２４０】
特徴Ａ４．前記第２装置は、遊技者により操作される操作部（貸出ボタン７２）を有し、前記第２経路を利用して、前記操作部が操作されたか否かを示す信号（貸出操作信号）を前記特定装置側に向けて送信するものであり、
前記特定装置は、所定の情報が記憶手段に記憶されている状況で前記操作部が操作されたことに基づき、前記第１経路を利用して、前記遊技価値の付与に関する指示を与えるための信号（貸出確認信号及び貸出要求信号）を前記制御基板に向けて送信するものであることを特徴とする特徴Ａ３に記載の遊技機。
【０２４１】
特徴Ａ４の構成において上記特徴Ａ１の構成を備えていることにより、第１経路に対して不正を施して、所定の情報が記憶手段に記憶されていないにも関わらず遊技価値を付与するための制御を制御基板に不正に行わせようとする行為を、行いづらくさせることが可能となる。
【０２４２】
特徴Ａ５．前記第２経路には通信用の経路が含まれており、
前記制御基板に設けられた制御手段（払出側ＭＰＵ１８１）は、当該通信用の経路を利用して伝送される信号を受信しないことを特徴とする特徴Ａ３又はＡ４に記載の遊技機。
【０２４３】
特徴Ａ５によれば、制御基板は第２経路に関して中継基板として機能することとなり、第２経路を利用した制御手法を変更することなく上記のような優れた効果を奏することが可能となる。
【０２４４】
特徴Ａ６．前記第２経路には、遊技機前方から視認可能な表示手段（度数表示部７４）を表示制御するために利用される通信用の経路が含まれていることを特徴とする特徴Ａ１乃至Ａ５のいずれか１に記載の遊技機。
【０２４５】
特徴Ａ６によれば、第１経路に対して不正を施すべく第１接続手段やその接続対象に不正を施した場合には、その影響が第２経路にも及び得る。そうすると、表示手段の表示内容がその不正行為に対応した内容となることが期待され、当該不正行為が行われていることを表示手段の表示内容から把握することが可能となる。
【０２４６】
特徴Ａ７．前記第１接続手段には、前記第１経路の接続部以外の接続部として、前記第２経路の接続部を含めて複数の接続部が集約されていることを特徴とする特徴Ａ１乃至Ａ６のいずれか１に記載の遊技機。
【０２４７】
特徴Ａ７によれば、第１経路に対応した接続部を特定しづらくなるため、第１経路に対する不正を行いづらくさせることが可能となる。
【０２４８】
特徴Ａ８．前記第１経路は中継基板（接続端子板１７２）にて中継される構成であって、前記第２経路における前記特定装置及び前記第１装置間の経路も前記中継基板にて中継される構成であり、
前記中継基板には、
前記第１経路における前記特定装置及び前記中継基板間の経路であって当該経路の前記中継基板への接続部と、前記第２経路における前記特定装置及び前記中継基板間の経路であって当該経路の前記中継基板への接続部とが、同一の第２接続手段（貸出側接続ユニット２５１）に集約された状態で接続されており、
且つ
前記第１経路における前記第１装置及び前記中継基板間の経路であって当該経路の前記中継基板への接続部と、前記第２経路における前記第１装置及び前記中継基板間の経路であって当該経路の前記中継基板への接続部とが、同一の第３接続手段（直接用払出側コネクタ２３１）に集約された状態で接続されていることを特徴とする特徴Ａ１乃至Ａ７のいずれか１に記載の遊技機。
【０２４９】
特徴Ａ８によれば、第１装置とは別に中継基板が設けられていることにより、部材管理や部材の配置を好適に行うことが可能となる。この場合に、中継基板側の接続箇所であっても、第１経路と第２経路とが集約されているため、第１経路を特定しづらくなり、当該第１経路に対する不正を行いづらくなる。
【０２５０】
特徴Ａ９．前記第１接続手段は前記中継基板に設けられた一のコネクタであり、
前記第３接続手段は前記第１装置に設けられた一のコネクタであり、
これらコネクタが別部材の配線を介することなく直接的に接続されていることを特徴とする特徴Ａ８に記載の遊技機。
【０２５１】
特徴Ａ９によれば、中継基板と第１装置との接続がコネクタ同士の直接的な接続により行われているため、当該接続箇所への不正なアクセスが行いづらくなる。
【０２５２】
特徴Ａ１０．前記第１装置は、制御基板であり、
前記制御基板と前記中継基板とは同一の基板ボックス（基板ボックス１３３）内に収容されていることを特徴とする特徴Ａ８又はＡ９に記載の遊技機。
【０２５３】
特徴Ａ１０によれば、制御基板と中継基板との接続箇所への不正なアクセスが行いづらくなる。
【０２５４】
特徴Ａ１１．前記第１装置は、制御基板であり、
前記制御基板は基板ボックス（基板ボックス２７３）に収容されていることで制御基板装置（払出制御装置２７２）として設けられており、
前記中継基板は前記基板ボックスとは異なる基板ボックス（基板ボックス２７５）に収容されていることで中継基板装置（接続板装置２７４）として設けられており、
前記第１接続手段及び前記第３接続手段を利用した前記制御基板と前記中継基板との接続箇所が露出しないように当該接続箇所に対向する対向手段（基板ボックス２７３にける払出側開口部２７７の周縁部、及び基板ボックス２７５における中継側開口部２７９の周縁部）を備えていることを特徴とする特徴Ａ８又はＡ９に記載の遊技機。
【０２５５】
特徴Ａ１１によれば、制御基板と中継基板とが別々の装置として設けられていることにより、部材管理や部材の配置を好適に行うことが可能となる。この場合に、制御基板と中継基板との接続箇所が露出しないように対向手段が設けられていることにより、当該接続箇所への不正なアクセスが行いづらくなる。
【０２５６】
特徴Ａ１２．前記中継基板装置は、前記制御基板装置よりも設置箇所からの取り外しが容易となるように設けられていることを特徴とする特徴Ａ１１に記載の遊技機。
【０２５７】
特徴Ａ１２によれば、中継基板装置のメンテナンスや交換の容易化を図りながら、上記のような優れた効果を奏することが可能となる。
【０２５８】
＜特徴Ｂ群＞
特徴Ｂ１．第１基板（払出制御基板１７１）が第１基板ボックス（基板ボックス２７３）に収容されて構成された第１基板装置（払出制御装置２７２）と、
第２基板（接続端子板１７２）が第２基板ボックス（基板ボックス２７５）に収容されて構成された第２基板装置（接続板装置２７４）と、
を備え、
前記第１基板と前記第２基板とが接続手段（直接用払出側コネクタ２３１、直接用中継側コネクタ２４１）を利用して接続されていることにより、これら第１基板及び第２基板間において送電及び通信の少なくとも一方が行われる構成であり、
前記接続手段の周りに設けられ、当該接続手段が露出しないように当該接続手段と対向する対向手段（基板ボックス２７３にける払出側開口部２７７の周縁部、及び基板ボックス２７５における中継側開口部２７９の周縁部）を備えていることを特徴とする遊技機。
【０２５９】
特徴Ｂ１によれば、第１基板と第２基板とが第１基板装置及び第２基板装置として個別に設けられていることにより、部材管理や部材の配置を好適に行うことが可能となる。この場合に、対向手段が設けられていることにより、第１基板と第２基板との接続箇所に不正を施そうとしてもそれが行いづらくなっている。
【０２６０】
特徴Ｂ２．前記接続手段は、
前記第１基板に設けられた第１基板側コネクタ（直接用払出側コネクタ２３１）と、
前記第２基板に設けられた第２基板側コネクタ（直接用中継側コネクタ２４１）と、
を備え、
これら第１基板側コネクタと第２基板側コネクタとが別部材の配線を介することなく直接的に接続されていることを特徴とする特徴Ｂ１に記載の遊技機。
【０２６１】
特徴Ｂ２によれば、第１基板と第２基板との接続箇所が小型化されることに伴って対向手段を小型化することが可能となる。これにより、対向手段の形成の容易化が図られる。また、このように小型化が図られることで、当該接続箇所への不正が行いづらくなる。
【０２６２】
特徴Ｂ３．前記第１基板ボックスには前記第１基板側コネクタを当該第１基板ボックスの外部に露出させるための第１開口部（払出側開口部２７７）が形成されており、
前記第２基板ボックスには前記第２基板側コネクタを当該第２基板ボックスの外部に露出させるための第２開口部（中継側開口部２７９）が形成されており、
前記第１基板側コネクタと前記第２基板側コネクタとを接続した場合には、前記対向手段として、前記第１開口部の周縁部及び前記第２開口部の周縁部のうち少なくとも一方がこれらコネクタの周りに存在する構成であることを特徴とする特徴Ｂ２に記載の遊技機。
【０２６３】
特徴Ｂ３によれば、基板ボックスを利用して対向手段が設けられているため、構成の簡素化を図ることが可能となる。
【０２６４】
特徴Ｂ４．前記第１基板は、遊技価値を付与するための制御を実行する制御基板であり、
前記第２基板は、前記第１基板及び他の装置間において送電用の経路及び通信用の経路の少なくとも一方を中継する中継基板であることを特徴とする特徴Ｂ１乃至Ｂ３のいずれか１に記載の遊技機。
【０２６５】
特徴Ｂ４によれば、制御基板と中継基板とが別々の基板ボックスに収容されていることにより、部材管理や部材の配置を好適に行うことが可能となる。
【０２６６】
特徴Ｂ５．前記第２基板装置は前記第１基板装置よりも搭載箇所からの取り外しが容易となるように設けられていることを特徴とする特徴Ｂ４に記載の遊技機。
【０２６７】
特徴Ｂ５によれば、第１基板への不正を行いづらくさせながら、第２基板の交換やメンテナンスの容易化を図ることが可能となる。
【０２６８】
以下に、以上の各特徴を適用し得る遊技機の基本構成を示す。
【０２６９】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０２７０】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【符号の説明】
【０２７１】
１０…パチンコ機、１９…貸出指示装置、７１…貸出操作装置、７２…貸出ボタン、７４…度数表示部、１３１…払出制御装置、１３３…基板ボックス、１７１…払出制御基板、１７２…接続端子板、１８１…払出側ＭＰＵ、２１１…貸出側ＭＰＵ、２３１…直接用払出側コネクタ、２４１…直接用中継側コネクタ、２５１…貸出側接続ユニット、２７１…基板装置ユニット、２７２…払出制御装置、２７３…基板ボックス、２７４…接続板装置、２７５…基板ボックス、２７７…払出側開口部、２７９…中継側開口部。
【図１】
2013056012.tif 000003
【図２】
2013056012.tif 000004
【図３】
2013056012.tif 000005
【図４】
2013056012.tif 000006
【図５】
2013056012.tif 000007
【図６】
2013056012.tif 000008
【図７】
2013056012.tif 000009
【図８】
2013056012.tif 000010
【図９】
2013056012.tif 000011
【図１０】
2013056012.tif 000012
【図１１】
2013056012.tif 000013
【図１２】
2013056012.tif 000014
【図１３】
2013056012.tif 000015
【図１４】
2013056012.tif 000016
【図１５】
2013056012.tif 000017